(57)【要約】【課題】遊技機の電源投入を確認できるまでの時間を極力短くする。【解決手段】遊技店の店員等によって電源スイッチが操作され、遊技機に対する電源供給が開始されると、メイン制御部及びサブ制御部は、それぞれ起動処理を開始する。サブ制御部は、起動処理において液晶表示器等の初期化処理等を実行するため、起動処理を実行している起動期間には液晶表示器には何も画像が表示されていないが、起動期間中の演出として下パネルの点灯を行っている。下パネルは、初期化処理を行うことなく点灯することが可能となっている。【選択図】図１
2019122584.tif 000002
【特許請求の範囲】
【請求項１】
遊技を行う遊技機であって、
表示手段と、
演出手段とを備え、
前記遊技機に対する電源供給が開始された後、所定期間が経過するまでは前記表示手段
に画像が表示されず、当該所定期間の経過後に前記表示手段に画像が表示され、
前記演出手段は、前記所定期間において演出を実行する、遊技機。
【発明の詳細な説明】
【技術分野】
【０００１】
本発明は、遊技を行う遊技機に関する。
【背景技術】
【０００２】
遊技機として、所定の賭数を設定し、スタート操作が行われたことに基づいて、複数種
類の識別情報の可変表示が行われるスロットマシンや、遊技球等の遊技媒体を発射装置に
よって遊技領域に発射し、該遊技領域に設けられている入賞口等の始動領域に遊技媒体が
入賞したときに複数種類の識別情報の可変表示が行われるパチンコ遊技機等がある。
【０００３】
このような遊技機として、電源投入後の遊技機の初期化処理中において、表示装置の画
面には何も表示されず、初期化処理後にローディング画像を表示し、さらに準備中画像を
表示した後に通常画像の表示を行うものが提案されている（例えば、特許文献１参照）。
【先行技術文献】
【特許文献】
【０００４】
【特許文献１】特開２０１６−１２３６８０号公報
【発明の概要】
【発明が解決しようとする課題】
【０００５】
特許文献１に記載の技術では、少なくとも表示装置の画面に何も表示されない期間が経
過するまでは、遊技機の電源が投入されたか否かが確認できないという問題がある。
【０００６】
本発明は、上記実情に鑑みてなされたものであり、遊技機の電源投入を確認できるまで
の時間を極力短くすることができる遊技機を提供することを目的とする。
【課題を解決するための手段】
【０００７】
（１）上記目的を達成するため、本発明に係る遊技機は、
遊技を行う遊技機（例えば、遊技機１、スロットマシン、パチンコ遊技機）であって、
表示手段（例えば、液晶表示器５１）と、
演出手段（例えば、下パネル５０）とを備え、
前記遊技機に対する電源供給が開始された後、所定期間（例えば、起動期間）が経過す
るまでは前記表示手段に画像が表示されず、当該所定期間の経過後に前記表示手段に画像
が表示され（例えば、液晶表示器５１には遊技機１に対する電源供給が開始された後に起
動期間が経過するまでは画像が表示されない一方で起動期間の経過後に準備中画像が表示
され）、
前記演出手段は、前記所定期間において演出を実行する（例えば、下パネル５０が起動
期間において点灯を行う）。
【０００８】
（２）上記（１）の遊技機において、
前記表示手段は、前記所定期間の経過後に、表示制御の準備を行っている旨を示す準備
画像（例えば、準備中画像）を表示してもよい（例えば、液晶表示器５１には、起動期間
の経過後に、表示制御の準備を行っている旨を示す準備中画像が表示されてもよい）。
【０００９】
（３）上記（１）または（２）の遊技機において、
前記演出手段は、前記所定期間の経過後に演出を終了してもよい（例えば、下パネル５
０は、起動期間の経過後に消灯してもよい）。
【００１０】
（４）上記（１）〜（３）の何れかの遊技機において、
遊技を進行させるために操作される操作手段（例えば、操作部７）をさらに備え、
前記遊技機に対する電源供給が開始された後、前記所定期間が経過するまでは、少なく
とも前記操作手段への操作の受付が有効化されなくてもよい（例えば、遊技機１に対する
電源供給が開始された後、起動期間の経過後であって開始コマンド出力タイミングまでは
、操作部７への操作の受付が有効化されなくてもよい）。
【００１１】
（５）上記（１）〜（４）の何れかの遊技機において、
前記演出手段は、遊技の結果を示唆する演出を実行しない、または他の演出手段よりも
遊技の結果を示唆する演出を実行する頻度が低くてもよい（例えば、液晶表示器５１にお
いて示唆演出が実行される頻度よりも、下パネル５０において示唆演出が実行される頻度
の方が低くてもよい）。
【００１２】
（６）  上記（１）〜（５）のいずれかの遊技機において、
前記演出手段が演出を行う領域（例えば、図１（Ｂ）に示す下パネル５０の表示領域）
は、前記表示手段の表示領域（例えば、図１（Ｂ）に示す液晶表示器５１の表示領域）よ
りも広い。
【００１３】
（７）上記（１）〜（６）の何れかの遊技機において、
遊技の進行を制御する遊技制御手段（例えば、メイン制御部４１）と、
演出を制御する演出制御手段（例えば、サブ制御部９１）と、
可動手段（例えば、役物）と、
発光手段（例えば、ＬＥＤ）とをさらに備え、
前記演出制御手段は、前記遊技制御手段によって出力されたコマンドに応じて、前記演
出手段、前記可動手段、および前記発光手段を制御可能であり、
前記遊技制御手段は、遊技を進行するための通常制御を開始するときに、前記通常制御
の開始を示す開始コマンドを前記演出制御手段に出力し（例えば、メイン制御部４１は、
通常制御を開始するときに開始コマンドをサブ制御部９１に出力し）、
前記演出制御手段は、前記開始コマンドを受信する前に、前記演出手段に演出の実行を
開始させる（例えば、サブ制御部９１は、開始コマンドを受信する前に下パネル５０に点
灯させてもよい）。
【図面の簡単な説明】
【００１４】
【図１】（Ａ）本実施形態に係る遊技機の構成の一例を示す図、（Ｂ）遊技機の正面    図である。
【図２】サブ制御部の制御ブロック図である。
【図３】有利状態制御中の目押しチャレンジ演出の一例を示す図である。
【図４】有利状態制御終了時の終了演出の演出パターンの一例を示す図である。
【図５】終了演出の演出パターンを選択する選択テーブルの一例を示す図である。
【図６】有利状態における画面表示例を示す図である。
【図７】サブ制御部が実行するタイマ割込処理（サブ）内で実行する設定データ記憶処理の制御内容を示すフローチャートである。
【図８】サブ制御部が実行するタイマ割込処理（サブ）内で実行する設定示唆演出決定処理の制御内容を示すフローチャートである。
【図９】演出決定抽選で用いる抽選テーブルの一例である。
【図１０】変形例１において、サブ制御部が実行するタイマ割込処理（サブ）内で実行する設定示唆演出決定処理の制御内容を示すフローチャートである。
【図１１】設定示唆制御の実行に関する具体例についての説明図である。
【図１２】変形例２において、サブ制御部が実行するタイマ割込処理（サブ）内で実行する設定示唆演出決定処理の制御内容を示すフローチャートである。
【図１３】変形例２において、サブ制御部が実行するタイマ割込処理（サブ）内で実行する設定示唆演出決定処理の制御内容を示すフローチャートである。
【図１４】変形例２において、特典が付与されていないときの設定示唆演出決定抽選で用いる抽選テーブルである。
【図１５】変形例２において、特典が付与されていないときの設定示唆演出決定抽選で用いる抽選テーブルである。
【図１６】変形例２において、特典が付与されているときの設定示唆演出決定抽選で用いる抽選テーブルである。
【図１７】変形例２において、特典が付与されているときの設定示唆演出決定抽選で用いる抽選テーブルである。
【図１８】従来、設定示唆演出決定抽選で用いられていた抽選テーブルの一例である。
【図１９】変形例２の具体例を示す説明図である。
【図２０】変形例３における設定示唆演出決定処理の制御内容を示すフローチャートである。
【図２１】変形例３の具体例を示す説明図である。
【発明を実施するための形態】
【００１５】
本発明の実施形態について、図面を参照して説明する。
【００１６】
本発明の実施形態に係る遊技機１は、図１（Ａ）に示すように、図示しない遊技制御基
板によって遊技の進行が制御され、図示しない演出制御基板によって演出が制御され、電
源基板１０１によって駆動電源が生成されて各部品に供給される。遊技制御基板は、メイ
ン制御部４１を備え、演出制御基板は、サブ制御部９１を備える。なお、サブ制御部９１
は、図２に示すように、サブＣＰＵ（Central Processing Unit）９１ａ、ＲＯＭ（Read 
Only Memory）９１ｂ、ＲＡＭ（Random Access Memory）９１ｃを備える。
図１（Ａ）に示すように、遊技制御基板には、操作部７、設定値表示器２４が接続され
、設定値表示器２４がメイン制御部４１による制御に基づいて駆動される。また、演出制
御基板には、下パネル（演出手段）５０と、液晶表示器（表示手段）５１と、演出用スイ
ッチ５６とが接続されており、これらの演出装置５０、５１がサブ制御部９１による制御
に基づいて駆動される。また、電源基板１０１には、設定キースイッチ３７、リセット／
設定スイッチ３８、電源スイッチ３９が接続されている。
【００１７】
遊技機１の前面扉が開放された状態で、遊技店の店員等によって電源スイッチ３９が操
作され、遊技機１に対する電源供給が開始されると、メイン制御部４１及びサブ制御部９
１は、それぞれ起動処理を開始する。メイン制御部４１は、起動処理において操作部７の
制御を行うための初期化処理等を実行する。なお、操作部７とは、例えば、スロットマシ
ンであれば、賭数を設定可能な賭数設定ボタン、リールを回転開始するためのスタートス
イッチ、リールを停止させるためのストップスイッチ等であり、パチンコ遊技機であれば
、遊技球を発射するための打球操作ハンドル等である。メイン制御部４１は、起動処理が
終了すると、操作部７への操作の受付を有効化して遊技を進行させるための制御が可能と
なり（通常制御中となり）、遊技者は、操作部７の操作によって遊技を行うことが可能と
なる。このとき、メイン制御部４１は、サブ制御部９１に通常制御の開始を示す開始コマ
ンドを送信する。
【００１８】
一方、サブ制御部９１は、起動処理において液晶表示器５１等の初期化処理等を実行す
る。このため、図１（Ｂ）に示すように、起動処理を実行している起動期間には液晶表示
器５１には何も画像が表示されていないが、サブ制御部９１は、起動期間中の演出の一例
として下パネル５０の点灯（照明光の点灯）を行っている。なお、このように制御するた
めに、本実施形態の下パネル５０は、初期化処理を行うことなく点灯することが可能とな
っている。また、本実施形態では、図１（Ｂ）に示すように、下パネル５０が点灯する領
域は、液晶表示器５１の画像を表示する領域よりも広くなっている。
【００１９】
サブ制御部９１は、起動処理の終了後（起動期間経過後）、メイン制御部４１から開始
コマンドを受信するまで準備期間に移行して画像の表示制御の準備を行う。このとき、サ
ブ制御部９１は、図１（Ｂ）に示すように、下パネル５０を消灯するとともに液晶表示器
５１に準備中画像を表示させる。ここで、準備中画像とは、画像の表示制御の準備を行っ
ている旨を示す画像である。なお、本実施形態では、起動期間経過後に下パネル５０を消
灯したが、起動期間経過後も点灯を継続してもよく、例えば、準備期間を経過するまで点
灯を継続してもよく、通常制御中も点灯を継続してもよい。
【００２０】
サブ制御部９１は、準備期間中に画像の表示制御の準備を終了してメイン制御部４１か
ら開始コマンドを受信すると、液晶表示器５１にメイン制御部４１が通常制御中である旨
の表示（例えば、演出画像等の表示）を行う。メイン制御部４１は、遊技の進行に応じて
各種コマンドを送信し、サブ制御部９１は、メイン制御部４１から受信したコマンドの制
御情報に基づいて演出の制御を行う。演出は、例えば、下パネル５０、液晶表示器５１等
を用いて行われるが、これに限らず、図示しないスピーカやＬＥＤや役物等が用いられて
もよい。
【００２１】
また、メイン制御部４１は、遊技者による操作部７の操作によって遊技が開始した後、
遊技の結果に応じて遊技者にとって有利な有利状態に移行させることが可能である。例え
ば、スロットマシンであれば、リールの停止により導出された図柄に応じて有利状態へ移
行し、パチンコ遊技機であれば、遊技球が始動入賞口へ入賞することにより図柄の変動表
示を開始し、変動表示が終了して導出された図柄に応じて有利状態へ移行する。なお、有
利状態とは、スロットマシンであれば、小役の当選確率が向上するボーナス（例えば、Ｂ
Ｂ（ビッグボーナス）、ＲＢ（レギュラーボーナス）、ＣＢ（チャレンジボーナス））、
遊技者にとって有利な操作手順を報知してナビが行われるＡＴ等であり、パチンコ遊技機
であれば、遊技者にとって有利なラウンド遊技を所定回数実行可能となる大当り遊技状態
等である。
【００２２】
メイン制御部４１は、有利状態の制御を開始すると、遊技状態が有利状態である旨の制
御情報を含む遊技状態コマンドをサブ制御部９１に送信する。また、サブ制御部９１は、
メイン制御部４１から受信した遊技状態コマンドに基づいて、メイン制御部４１が有利状
態に制御していることを特定した後、有利状態に応じた演出の制御を行う。例えば、後述
するように、有利状態の制御中に目押しチャレンジ演出を実行したり、有利状態の制御終
了時に後述する終了演出を実行したりする。
【００２３】
なお、本実施形態のサブ制御部９１では、図２に示すように、サブＣＰＵ９１ａは、メ
イン制御部４１から受信する遊技状態コマンドに基づいて、前回の有利状態の制御が終了
してから今回の有利状態の制御を開始するまでの期間（非有利期間）をＲＡＭ９１ｃに格
納された非有利期間タイマを用いて計時している。例えば、サブＣＰＵ９１ａは、スロッ
トマシンであれば、前回のボーナスやＡＴの制御を終了してから今回のボーナスやＡＴの
制御を開始するまでの期間を計時し、パチンコ遊技機であれば、前回の大当り状態等の制
御を終了してから今回の大当り状態等の制御を開始するまでの期間を計時する。なお、本
実施形態では、非有利期間タイマを用いて非有利期間を計時したが、タイマに限定されず
、例えば、ゲーム数カウンタを用いて、スロットマシンであれば通常状態におけるゲーム
数を計時したり、パチンコ遊技機であれば特定図柄の変動回数（特図ゲーム数）を計数し
たりしてもよい。また、例えば、抽選回数カウンタを用いて、有利状態に制御するか否か
の抽選回数を計数してもよい。すなわち、本実施形態では、サブ制御部９１は、非有利期
間の長さを時間としたが、ゲーム数（遊技機１がスロットマシンであればゲーム数、遊技
機１がパチンコ遊技機であれば特図ゲーム数）や抽選回数であってもよい。
【００２４】
［設定値について］
本実施形態の遊技機１は、設定値に応じて遊技者にとって有利な特典が付与される確率
等が変わるものである。例えば、スロットマシンであれば、ボーナス役や小役の入賞の発
生を許容するか否かを決定する内部抽選やＡＴ抽選等において設定値に応じた当選確率を
用いることにより、メダルの払出率が変わるようになっており、パチンコ遊技機であれば
、大当り抽選等において設定値に応じた当選確率を用いることにより、出玉率が変わるよ
うになっている。設定値は１〜６（設定１〜設定６）の６段階からなり、６が最も払出率
が高く、５、４、３、２、１の順に値が小さくなるほど払出率が低くなる。すなわち、設
定値として６が設定されている場合には、遊技者にとって最も有利度が高く、５、４、３
、２、１の順に値が小さくなるほど有利度が段階的に低くなる。なお、設定値は１、３、
６や、１、４、Ｈ（Ｈｉｇｈ）等の３段階や、１〜７の７段階で設定してもよく、６段階
に限定する必要はない。
【００２５】
設定値を変更するためには、まず、遊技機１の前面扉が開放された状態で、設定キース
イッチ３７をＯＮ状態としてから電源スイッチ３９を操作して遊技機１の電源をＯＮする
必要がある。設定キースイッチ３７をＯＮ状態として電源をＯＮすると、設定値表示器２
４にメイン制御部４１の図示しないＲＡＭから読み出された設定値が表示値として表示さ
れ、リセット／設定スイッチ３８の操作による設定値の変更操作が可能な設定変更状態（
設定変更モード）に移行する。設定変更状態において、リセット／設定スイッチ３８が操
作されると、設定値表示器２４に表示された表示値が１ずつ更新されていく（設定６から
さらに操作されたときは、設定１に戻る）。そして、操作部７が操作されると表示値を設
定値として確定する。そして、設定キースイッチ３７がＯＦＦされると、確定した表示値
（設定値）がＲＡＭに格納され、遊技の進行が可能な状態に移行する。このとき、メイン
制御部４１は、設定変更状態の終了を示す設定コマンド（終了）をサブ制御部９１に送信
するとともに、設定変更終了時の初期化対象ＲＡＭのアドレスがセットされてＲＡＭの初
期化が行われる。なお、遊技機１の前面扉が開放されていなければ設定値を変更できない
ようにして、前面扉が開放されていない状態での不正な設定変更を防止してもよい。すな
わち、前面扉の開放と設定キースイッチ３７をＯＮ状態にする操作と電源スイッチ３９の
操作とを設定変更状態の開始条件としてもよい。なお、この場合、設定キースイッチ３７
がＯＦＦ状態になるまで前面扉の開閉に関わらず設定値変更状態が維持されるようにして
もよい。すなわち、前面扉の開放を設定変更状態の開始条件とした場合であっても前面扉
の開閉を設定変更状態の終了条件にしなくてもよい。なお、設定コマンドは、設定値の変
更操作（以下、設定変更操作とも称する）により設定された設定値を特定可能、換言する
と操作部７が操作されて確定した設定値を特定可能なコマンドである。また、本実施形態
では、設定変更コマンドは特定契機にのみ送信される。特定契機とは、例えば、設定変更
操作により設定値が設定されたときである。よって、本実施形態では、設定変更操作によ
り設定値が設定されたときにのみ設定コマンドがサブ制御部９１に送信される。なお、設
定変更操作により設定可能な設定値は、設定中の設定値と異なる設定値のみならず、設定
中の設定値と同一の設定値も含む。
【００２６】
また、設定値を確認するためには、遊技が行われていない状態で遊技機１の前面扉を開
放して設定キースイッチ３７をＯＮ状態とすればよい。このような状況で設定キースイッ
チ３７をＯＮ状態とすると、設定値表示器２４にＲＡＭから読み出された設定値が表示さ
れることで設定値を確認可能な設定確認状態（設定確認モード）に移行する。設定確認状
態においては、遊技の進行が不能であり、設定キースイッチ３７をＯＦＦ状態とすること
で、設定確認状態が終了し、ゲームの進行が可能な状態に復帰することとなる。なお、設
定値確認状態も設定値変更状態と同様に、前面扉が開放されていなければ設定値を変更で
きないようにして前面扉が開放されていない状態での不正な設定確認を防止してもよい。
すなわち、前面扉の開放と設定キースイッチ３７をオン状態にする操作とを設定確認状態
の開始条件としてもよい。また、前面扉の開放を設定値確認状態の開始条件とした場合で
あっても前面扉の開閉を設定値確認状態の終了条件にしなくてもよい。
【００２７】
［有利状態における演出について］
本実施形態では、サブ制御部９１は、メイン制御部４１が有利状態の制御を行っている
期間（有利期間）において、目押しチャレンジ演出を実行する。ここで、目押しチャレン
ジ演出とは、図４に示す目押しチャレンジ画面を液晶表示器５１に表示してスロットマシ
ンにおける遊技と同様にリールを変動表示させてから表示結果を導出する擬似遊技を行い
、遊技者が所謂目押しで操作部７を操作することによってボーナス図柄（「７」）が任意
のライン上に揃う表示結果が導出されるか否かを煽る演出である。
【００２８】
具体的には、サブ制御部９１は、図３（Ａ）に示すように、「７を狙え！！」との文字
画像とスロットマシンのリールが変動表示している動画像とを含む画面を表示した後、図
示しない演出用スイッチ５６による停止操作に応じて各リールの変動表示を１つずつ停止
させて表示結果を導出する表示を行う。また、サブ制御部９１は、目押しに成功（７揃え
に成功）した場合には、図３（Ｂ）に示すように、「７」が揃った静止画像が表示された
後に「成功！！」との文字画像を含む画面を表示する一方、目押しに失敗（７揃えに失敗
）した場合には、図３（Ｃ）に示すように、「７」が揃っていない静止画像が表示された
後に「失敗…」との文字画像を含む画面を表示する。なお、本実施形態では、演出用スイ
ッチ５６の操作によって目押しを行っているが、これに限定されず、例えば、操作部７に
よる操作であってもよい。すなわち、目押しチャレンジ演出に用いられる操作手段はサブ
制御部９１に接続された操作手段に限定されず、メイン制御部４１に接続された操作手段
であってもよい。この場合、表示結果を導出させるために、例えば、メイン制御部４１が
目押しチャレンジ演出の実行中に操作部７が操作された旨の制御情報を含むコマンドをサ
ブ制御部９１に送信する必要がある。
【００２９】
なお、本実施形態では、サブ制御部９１は、有利期間において目押しチャレンジ演出を
複数回実行する可能性がある。例えば、サブ制御部９１は、有利状態の制御中において所
定期間（例えば、３０秒）毎に目押しチャレンジ演出を実行してもよく、有利状態の制御
中においてにおいて所定期間毎に目押しチャレンジ演出を実行するか否かの抽選を行い、
当選したときに目押しチャレンジ演出を実行するようにしてもよい。また、本実施形態の
サブ制御部９１では、サブＣＰＵ９１ａは、図２に示すように、ＲＡＭ９１ｃに格納され
た目押し成功回数カウンタを用いて目押しに成功した回数（目押し成功回数）を計数して
いる。具体的には、サブＣＰＵ９１ａは、目押しチャレンジ演出を実行して目押しに成功
したときに、目押し成功回数カウンタに＋１を加算することで目押し成功回数を計数する
。なお、サブＣＰＵ９１ａは、有利状態の制御を終了した後に目押し成功回数カウンタを
０にリセットする。
【００３０】
また、サブ制御部９１は、メイン制御部４１が有利状態の制御を終了するときに、終了
演出を実行する。ここで、終了演出とは、図４に示す複数種類の演出パターンのうちの何
れかの演出パターンの終了画面を液晶表示器５１に表示する演出である。具体的には、サ
ブ制御部９１は、図４（Ａ）に示す「−ＥＮＤ−」および「今日はいいことあるかも？」
の文字画像を含む終了画面を表示する演出パターンである「基本パターン１」と、図４（
Ｂ）に示す「−ＥＮＤ−」および「今日は大丈夫！」の文字画像を含む終了画面を表示す
る演出パターンである「基本パターン２」と、図４（Ｃ）に示す「−ＥＮＤ−」および「
今日は有利な設定かも？！」の文字画像を含む終了画面を表示する演出パターンである「
高設定示唆パターン１」と、図４（Ｄ）に示す「−ＥＮＤ−」および「今日は有利な設定
らしい！！」の文字画像を含む終了画面を表示する演出パターンである「高設定示唆パタ
ーン２」と、図４（Ｅ）に示す「−ＥＮＤ−」および「今日は最高に有利な設定だ！！！
」の文字画像を含む終了画面を表示する演出パターンである「設定６確定パターン」との
何れかの演出パターンのうちから選択された演出パターンの終了画面を表示する。
【００３１】
なお、本実施形態では、基本パターン（「基本パターン１」、「基本パターン２」）は
、有利状態の制御の終了時において設定値に関わらず通常であれば選択される演出パター
ンとして予め設定されている。また、高設定示唆パターン（特定態様、「高設定示唆パタ
ーン１」、「高設定示唆パターン２」）は、有利状態の制御の終了時において高設定（設
定４〜設定６）であることを示唆するために選択される演出パターンとして予め設定され
ている。そして、設定値確定パターン（特別態様、「設定６確定パターン」）は、有利状
態の制御の終了時において設定６であるときに限り設定６であることを報知するために選
択される演出パターンとして予め設定されている。
【００３２】
［終了演出の演出パターンの選択テーブルについて］
本実施形態のサブ制御部９１では、図２に示すように、サブＣＰＵ９１ａは、終了演出
を実行するときに、ＲＯＭ９１ｂに格納された複数種類の選択テーブルのうちから選択さ
れた選択テーブルを参照して終了演出の演出パターンを選択する。本実施形態では、サブ
ＣＰＵ９１ａは、ＲＡＭ９１ｃに格納された目押し成功回数カウンタや非有利期間タイマ
を参照して取得した目押し成功回数や非有利期間に基づいて、選択テーブルを参照する。
具体的には、サブＣＰＵ９１ａは、非有利期間の長さが特定期間（例えば、３分未満の時
間、２分５０秒等）よりも長い通常期間（例えば、３分以上の時間、１０分３０秒等）で
あるときには目押し成功回数に関わらず、設定１であれば第１通常選択テーブル、設定２
であれば第２通常選択テーブル、設定３であれば第３通常選択テーブル、設定４であれば
第４通常選択テーブル、設定５であれば第５通常選択テーブル、設定６であれば第６通常
選択テーブルをそれぞれ参照して演出パターンを選択する。また、サブＣＰＵ９１ａは、
非有利期間の長さが特定期間であるときに目押し成功回数が１回までであれば、設定値に
関わらず特定選択テーブルを参照して演出パターンを選択する。そして、サブＣＰＵ９１
ａは、非有利期間の長さが特定期間であるときに目押し成功回数が２回以上であれば、設
定１であれば第１特殊選択テーブル、設定２であれば第２特殊選択テーブル、設定３であ
れば第３特殊選択テーブル、設定４であれば第４特殊選択テーブル、設定５であれば第５
特殊選択テーブル、設定６であれば第６特殊選択テーブルをそれぞれ参照して演出パター
ンを選択する。
【００３３】
なお、特定期間とは、有利状態の制御が開始されたときに遊技者が高設定（設定４〜設
定６）ではないかと推測し易い期間である。ここで、非有利期間をゲーム数（スロットマ
シンであればゲーム数、パチンコ遊技機であれば特図ゲーム数）や有利状態に制御される
か否かの抽選回数とした場合には、特定期間を遊技者が高設定ではないかと推測し易いゲ
ーム数や抽選回数とすればよい。例えば、有利状態に制御されるか否かの抽選の当選率が
高設定のときに１／３０以上（例えば、設定４の当選率が１／３０、設定５の当選率が１
／２５、設定５の当選率が１／２０）となる場合において、１ゲーム毎に当該抽選を行う
遊技機であれば特定期間を１／３０の逆数となる３０ゲーム以下の任意のゲーム数（例え
ば、１５ゲーム）としてもよい。この場合、例えば、当選後から最長１０ゲームの潜伏期
間に移行する遊技機であれば潜伏期間の１０ゲームも加算したゲーム数（例えば、２５ゲ
ームに１０ゲームを加算して３５ゲーム）としてもよい。また、例えば、当該抽選につい
て前回の有利状態の制御終了から１０ゲーム目のみ当選率が他のゲームの３倍に設定され
ている遊技機であれば特定期間を少なくとも１０ゲーム目が含まれるゲーム数（例えば、
１０ゲーム、１５ゲーム）としてもよい。また、例えば、前回の有利状態の制御終了から
５ゲーム目までは１ゲーム毎に当該抽選を行った後、６ゲーム目以降は１ゲーム毎に抽選
を行うか否かを決定したり５ゲーム毎に当該抽選を行ったりする遊技機であれば特定期間
を５ゲームとしてもよい。また、１ゲーム毎に当該抽選を行うか否かを決定している遊技
機であれば特定期間を２９回以下の任意の抽選回数（例えば、１５回）としてもよい。
なお、本実施形態では、特定期間を３分未満（例えば、２分５０秒）としたが、これは
遊技者が通常どおり遊技を行ったときに上述したゲーム数や抽選回数を消化するために要
する時間として例示したものであり、これに限定されず、遊技者が高設定ではないかと推
測し易いゲーム数や抽選回数を消化するために要する時間であれば任意の時間でよい。
【００３４】
図５に示すように、各種の選択テーブルには、「基本パターン１」、「基本パターン２
」、「高設定示唆パターン１」、「高設定示唆パターン２」、「設定６確定パターン」の
演出パターン毎の選択率が予め設定されている。具体的には、第１通常選択テーブルには
、図５（Ａ）に示すように、「基本パターン１」の選択率としてａ１［％］、「基本パタ
ーン２」の選択率としてｂ１［％］、「高設定示唆パターン１」の選択率としてｃ１［％
］、「高設定示唆パターン２」の選択率としてｄ１［％］、「設定６確定パターン」の選
択率として０［％］が設定されている。また、第２通常選択テーブルには、図５（Ｂ）に
示すように、「基本パターン１」の選択率としてａ２［％］、「基本パターン２」の選択
率としてｂ２［％］、「高設定示唆パターン１」の選択率としてｃ２［％］、「高設定示
唆パターン２」の選択率としてｄ２［％］、「設定６確定パターン」の選択率として０［
％］が設定されている。
【００３５】
なお、図示は省略するが、第３通常選択テーブルから第５通常選択テーブルも同様に、
「基本パターン１」の選択率としてａ３［％］〜ａ５［％］、「基本パターン２」の選択
率としてｂ３［％］〜ｂ５［％］、「高設定示唆パターン１」の選択率としてｃ３［％］
〜ｃ５［％］、「高設定示唆パターン２」の選択率としてｄ３［％］〜ｄ５［％］、「設
定６確定パターン」の選択率として０［％］がそれぞれ設定されている。また、第６通常
選択テーブルには、図５（Ｃ）に示すように、「基本パターン１」の選択率としてａ６［
％］、「基本パターン２」の選択率としてｂ６［％］、「高設定示唆パターン１」の選択
率としてｃ６［％］、「高設定示唆パターン２」の選択率としてｄ６［％］、「設定６確
定パターン」の選択率としてｅ６［％］が設定されている。
【００３６】
また、特定選択テーブルには、図５（Ｄ）に示すように、「基本パターン１」の選択率
としてａ１０［％］、「基本パターン２」の選択率としてｂ１０［％］、「高設定示唆パ
ターン１」の選択率としてｃ１０［％］、「高設定示唆パターン２」の選択率としてｄ１
０［％］、「設定６確定パターン」の選択率として０［％］が設定されている。また、第
１特殊選択テーブルには、図５（Ｅ）に示すように、「基本パターン１」の選択率として
ａ１１［％］、「基本パターン２」の選択率としてｂ１１［％］、「高設定示唆パターン
１」の選択率としてｃ１１［％］、「高設定示唆パターン２」の選択率としてｄ１１［％
］、「設定６確定パターン」の選択率として０［％］が設定されている。また、第２特殊
選択テーブルには、図５（Ｆ）に示すように、「基本パターン１」の選択率としてａ１２
［％］、「基本パターン２」の選択率としてｂ１２［％］、「高設定示唆パターン１」の
選択率としてｃ１２［％］、「高設定示唆パターン２」の選択率としてｄ１２［％］、「
設定６確定パターン」の選択率として０［％］が設定されている。
【００３７】
なお、図示は省略するが、第３特殊選択テーブルから第５特殊選択テーブルも同様に、
「基本パターン１」の選択率としてａ１３［％］〜ａ１５［％］、「基本パターン２」の
選択率としてｂ１３［％］〜ｂ１５［％］、「高設定示唆パターン１」の選択率としてｃ
１３［％］〜ｃ１５［％］、「高設定示唆パターン２」の選択率としてｄ１３［％］〜ｄ
１５［％］、「設定６確定パターン」の選択率として０［％］がそれぞれ設定されている
。そして、第６特殊選択テーブルには、図５（Ｇ）に示すように、「基本パターン１」の
選択率としてａ１６［％］、「基本パターン２」の選択率としてｂ１６［％］、「高設定
示唆パターン１」の選択率としてｃ１６［％］、「高設定示唆パターン２」の選択率とし
てｄ１６［％］、「設定６確定パターン」の選択率としてｅ１６［％］が設定されている
。
【００３８】
本実施形態では、低設定（設定１〜設定３）のときに参照される第１通常選択テーブル
から第３通常選択テーブルについては、ａ１〜ａ３、ｂ１〜ｂ３、ｃ１〜ｃ３、ｄ１〜ｄ
３の順に選択率が低くなるように設定されている（ａ１＞ｂ１＞ｃ１＞ｄ１、ａ２＞ｂ２
＞ｃ２＞ｄ２、ａ３＞ｂ３＞ｃ３＞ｄ３）。一方、高設定（設定４〜設定６）のときに参
照される第４通常選択テーブルから第６通常選択テーブルについては、ｃ４〜ｃ６、ｄ４
〜ｄ６、ａ４〜ａ６、ｂ４〜ｂ６の順に選択率が低くなるように設定されている（ｃ４＞
ｄ４＞ａ４＞ｂ４、ｃ５＞ｄ５＞ａ５＞ｂ５、ｃ６＞ｄ６＞ａ６＞ｂ６）。この結果、非
有利期間の長さが通常期間である場合において、低設定のときには基本パターンが高設定
示唆パターンよりも選択され易い一方、高設定のときには高設定示唆パターンが基本パタ
ーンよりも選択され易くなっている。
【００３９】
なお、本実施形態では、第１通常選択テーブルから第６通常選択テーブルについて、全
ての「基本パターン１」の選択率の合計値（ａ１＋ａ２＋…＋ａ６）に占める低設定の「
基本パターン１」の選択率の合計値（ａ１＋ａ２＋ａ３）の割合が、全ての設定値につい
ての「基本パターン２」の選択率の合計値（ｂ１＋ｂ２＋…＋ｂ６）に占める低設定の「
基本パターン２」の選択率の合計値（ｂ１＋ｂ２＋ｂ３）の割合よりも小さくなるように
設定されている（（ａ１＋ａ２＋ａ３）／（ａ１＋ａ２＋…＋ａ６）＜（ｂ１＋ｂ２＋ｂ
３）／（ｂ１＋ｂ２＋…＋ｂ６））。また、全ての「高設定示唆パターン１」の選択率の
合計値（ｃ１＋ｃ２＋…＋ｃ６）に占める低設定の「高設定示唆パターン１」の選択率の
合計値（ｃ１＋ｃ２＋ｃ３）の割合が、全ての設定値についての「高設定示唆パターン２
」の選択率の合計値（ｄ１＋ｄ２＋…＋ｄ６）に占める低設定の「高設定示唆パターン２
」の選択率の合計値（ｄ１＋ｄ２＋ｄ３）の割合よりも大きくなるように設定されている
（（ｃ１＋ｃ２＋ｃ３）／（ｃ１＋ｃ２＋…＋ｃ６）＞（ｄ１＋ｄ２＋ｄ３）／（ｄ１＋
ｄ２＋…＋ｄ６））。この結果、非有利期間の長さが通常期間である場合には、「基本パ
ターン１」よりも「基本パターン２」のほうが低設定のときに選択され易くなっている一
方、「高設定示唆パターン１」のほうが「高設定示唆パターン２」よりも低設定のときに
選択され易くなっている。
【００４０】
また、全ての「高設定示唆パターン１」の選択率の合計値に占める高設定の「高設定示
唆パターン１」の選択率の合計値（ｃ４＋ｃ５＋ｃ６）の割合が、全ての設定値について
の「高設定示唆パターン２」の選択率の合計値に占める高設定のときの「高設定示唆パタ
ーン２」の選択率の合計値（ｄ４＋ｄ５＋ｄ６）の割合よりも小さくなるように設定され
ている（（ｃ４＋ｃ５＋ｃ６）／（ｃ１＋ｃ２＋…＋ｃ６）＜（ｄ４＋ｄ５＋ｄ６）／（
ｄ１＋ｄ２＋…＋ｄ６））。また、全ての「基本パターン１」の選択率の合計値に占める
高設定の「基本パターン１」の選択率の合計値（ａ４＋ａ５＋ａ６）の割合が、全ての設
定値についての「基本パターン２」の選択率の合計値に占める高設定のときの「基本パタ
ーン２」の選択率の合計値（ｂ４＋ｂ５＋ｂ６）の割合よりも大きくなるように設定され
ている（（ａ４＋ａ５＋ａ６）／（ａ１＋ａ２＋…＋ａ６）＞（ｂ４＋ｂ５＋ｂ６）／（
ｂ１＋ｂ２＋…＋ｂ６））。この結果、非有利期間の長さが通常期間である場合には、「
高設定示唆パターン１」よりも「高設定示唆パターン２」のほうが高設定のときに選択さ
れ易くなっている一方、「基本パターン１」のほうが「基本パターン２」よりも高設定の
ときに選択され易くなっている。
【００４１】
これらの結果、本実施形態では、低設定で通常期間に有利状態を制御開始したときには
、目押しチャレンジ演出の演出結果に関わらず、基本パターンの終了演出が実行され易く
なっており、例えば、図６（Ａ）に示すように、「基本パターン１」の終了画面が表示さ
れる。また、例えば、高設定で通常期間に有利状態を制御開始したときには、目押しチャ
レンジ演出の演出結果に関わらず、高設定示唆パターンの終了演出が実行され易くなって
おり、例えば、図６（Ｂ）に示すように、「高設定示唆パターン１」の終了画面が表示さ
れる。よって、通常期間に有利状態を制御開始したときには、高設定であれば高設定示唆
パターンと設定値に応じた示唆を行う終了画面が表示され易くなっている。このため、遊
技者にとっては、通常期間に有利状態を制御開始したときには、高設定示唆パターンの終
了演出が実行されれば高設定である可能性が高いと推測するようになる。
【００４２】
なお、本実施形態では、低設定で通常期間に有利状態を制御開始したときには、「基本
パターン１」よりも「基本パターン２」の終了画面が表示され易く、「高設定示唆パター
ン２」よりも「高設定示唆パターン１」の終了画面が表示され易くなっている一方、高設
定で通常期間に有利状態を制御開始したときには、「高設定示唆パターン１」よりも「高
設定示唆パターン２」の終了画面が表示され易く、「基本パターン２」よりも「基本パタ
ーン１」の終了画面が表示され易くなっている。このため、遊技者にとっては、通常期間
に有利状態を制御開始したときには、基本パターンの終了演出が実行されれば「基本パタ
ーン１」よりも「基本パターン２」のほうが低設定との推測についての信頼度が高くなり
、高設定示唆パターンの終了演出が実行されれば「高設定示唆パターン１」よりも「高設
定示唆パターン２」のほうが高設定であると推測するための信頼度が高くなっている。
【００４３】
また、本実施形態では、特定選択テーブルについては、ｃ１０、ｄ１０、ａ１０、ｂ１
０の順に選択率が低くなっており、ｃ１０の選択率が特に高くなるように設定されている
（ｃ１０≫ｄ１０＞ａ１０＞ｂ１０）。この結果、非有利期間の長さが特定期間である場
合において、目押し成功回数が１回までのときには高設定示唆パターンが基本パターンよ
りも選択され易く、特に「高設定示唆パターン１」が選択され易くなっている。すなわち
、非有利期間の長さが特定期間である場合において、目押し成功回数が１回までのときに
は、設定値に関わらず、「高設定示唆パターン１」が選択され易くなっている。また、非
有利期間の長さが特定期間である場合において、目押し成功回数が１回までのときには、
設定値に関わらず、「基本パターン１」のほうが「基本パターン２」よりも選択され易く
なっており、「高設定示唆パターン１」のほうが「高設定示唆パターン２」よりも高設定
のときに選択され易くなっている。
【００４４】
これらの結果、本実施形態では、特定期間に有利状態を制御開始して目押し成功回数が
１回までのときには、設定値に関わらず高設定示唆パターンの終了演出が実行され易くな
っており、特に、図６（Ｃ）に示すように、「高設定示唆パターン１」の終了画面が表示
され易くなっている。このため、遊技者にとっては、特定期間に有利状態を制御開始して
目押し成功回数が１回までのときには、低設定であっても高設定示唆パターンの終了演出
が実行されれば高設定である可能性が高いと推測するようになる。
【００４５】
また、本実施形態では、低設定のときに参照される第１特殊選択テーブルから第３特殊
選択テーブルについては、ｂ１１〜ｂ１３、ａ１１〜ａ１３、ｃ１１〜ｃ１３、ｄ１１〜
ｄ１３の順に選択率が低くなっており、ｂ１１〜ｂ１３の選択率が特に高くなるように設
定されている（ｂ１１≫ａ１１＞ｃ１１＞ｄ１１、ｂ１２≫ａ１２＞ｃ１２＞ｄ１２、ｂ
１３≫ａ１３＞ｃ１３＞ｄ１３）。一方、高設定のときに参照される第４特殊選択テーブ
ルから第６特殊選択テーブルについては、ｄ１４〜ｄ１６、ｃ１４〜ｃ１６、ａ１４〜ａ
１６、ｂ１４〜ｂ１６の順に選択率が低くなっており、ｄ１４〜ｄ１６の選択率が特に高
くなるように設定されている（ｄ１４≫ｃ１４＞ａ１４＞ｂ１４、ｄ１５≫ｃ１５＞ａ１
５＞ｂ１５、ｄ１６≫ｃ１６＞ａ１６＞ｂ１６）。この結果、非有利期間の長さが特定期
間である場合において、目押し成功回数が２回以上のときには、低設定であれば基本パタ
ーンが高設定示唆パターンよりも選択され易く、特に「基本パターン２」が選択され易く
なっている一方、高設定であれば高設定示唆パターンが基本パターンよりも選択され易く
、特に「高設定示唆パターン２」が選択され易くなっている。
【００４６】
なお、本実施形態では、第１特殊選択テーブルから第６特殊選択テーブルについては、
第１通常選択テーブルから第６通常選択テーブルと同様に、全ての「基本パターン１」の
選択率の合計値（ａ１１＋ａ１２＋…＋ａ１６）に占める低設定の「基本パターン１」の
選択率の合計値（ａ１１＋ａ１２＋ａ１３）の割合が、全ての設定値についての「基本パ
ターン２」の選択率の合計値（ｂ１１＋ｂ１２＋…＋ｂ１６）に占める低設定のときの「
基本パターン２」の選択率の合計値（ｂ１１＋ｂ１２＋ｂ１３）の割合よりも小さくなる
ように設定されている（（ａ１１＋ａ１２＋ａ１３）／（ａ１１＋ａ１２＋…＋ａ１６）
＜（ｂ１１＋ｂ１２＋ｂ１３）／（ｂ１１＋ｂ１２＋…＋ｂ１６））。また、全ての「高
設定示唆パターン１」の選択率の合計値（ｃ１１＋ｃ１２＋…＋ｃ１６）に占める低設定
の「高設定示唆パターン１」の選択率の合計値（ｃ１１＋ｃ１２＋ｃ１３）の割合が、全
ての設定値についての「高設定示唆パターン２」の選択率の合計値（ｄ１１＋ｄ１２＋…
＋ｄ１６）に占める低設定の「高設定示唆パターン２」の選択率の合計値（ｄ１１＋ｄ１
２＋ｄ１３）の割合よりも大きくなるように設定されている（（ｃ１１＋ｃ１２＋ｃ１３
）／（ｃ１１＋ｃ１２＋…＋ｃ１６）＞（ｄ１１＋ｄ１２＋ｄ１３）／（ｄ１１＋ｄ１２
＋…＋ｄ１６））。この結果、非有利期間の長さが特定期間である場合において、目押し
成功回数が２回以上のときには、「基本パターン１」よりも「基本パターン２」のほうが
低設定のときに選択され易くなっている一方、「高設定示唆パターン１」のほうが「高設
定示唆パターン２」よりも低設定のときに選択され易くなっている。
【００４７】
また、全ての「高設定示唆パターン１」の選択率の合計値に占める高設定の「高設定示
唆パターン１」の選択率の合計値（ｃ１４＋ｃ１５＋ｃ１６）の割合が、全ての設定値に
ついての「高設定示唆パターン２」の選択率の合計値に占める高設定の「高設定示唆パタ
ーン２」の選択率の合計値（ｄ１４＋ｄ１５＋ｄ１６）の割合よりも小さくなるように設
定されている（（ｃ１４＋ｃ１５＋ｃ１６）／（ｃ１１＋ｃ１２＋…＋ｃ１６）＜（ｄ１
４＋ｄ１５＋ｄ１６）／（ｄ１１＋ｄ１２＋…＋ｄ１６））。また、全ての「基本パター
ン１」の選択率の合計値に占める高設定の「基本パターン１」の選択率の合計値（ａ１４
＋ａ１５＋ａ１６）の割合が、全ての設定値についての「基本パターン２」の選択率の合
計値に占める高設定の「基本パターン２」の選択率の合計値（ｂ１４＋ｂ１５＋ｂ１６）
の割合よりも大きくなるように設定されている（（ａ１４＋ａ１５＋ａ１６）／（ａ１１
＋ａ１２＋…＋ａ１６）＞（ｂ１４＋ｂ１５＋ｂ１６）／（ｂ１１＋ｂ１２＋…＋ｂ１６
））。この結果、非有利期間の長さが特定期間である場合において、目押し成功回数が２
回以上のときには、「高設定示唆パターン１」よりも「高設定示唆パターン２」のほうが
高設定のときに選択され易くなっている一方、「基本パターン１」のほうが「基本パター
ン２」よりも高設定のときに選択され易くなっている。
【００４８】
これらの結果、本実施形態では、低設定で特定期間に有利状態を制御開始して目押し成
功回数が２回以上のときには、基本パターンの終了演出が実行され易くなっており、特に
、図６（Ｄ）に示すように、「基本パターン２」の終了画面が表示され易くなっている。
また、例えば、高設定で通常期間に有利状態を制御開始して目押し成功回数が２回以上の
ときには、高設定示唆パターンの終了演出が実行され易くなっており、特に、図６（Ｅ）
に示すように、「高設定示唆パターン２」の終了画面が表示され易くなっている。よって
、特定期間に有利状態を制御開始して目押し成功回数が２回以上のときには、低設定であ
れば「基本パターン２」、高設定であれば「高設定示唆パターン２」と設定値に応じた信
頼度の高い示唆を行う終了画面が表示される。このため、遊技者にとっては、特定期間に
有利状態を制御開始して目押し成功回数が２回以上のときには、通常期間に有利状態を制
御開始したときよりも、高設定示唆パターンの終了演出が実行されれば高設定であると推
測し易くなっている。
【００４９】
なお、本実施形態では、第６通常選択テーブルにおける「設定６確定パターン」の選択
率であるｅ６［％］や第６特殊選択テーブルにおける「設定６確定パターン」の選択率で
あるｅ１６［％］については、上述した他の選択率（ａ１〜ａ６、ａ１１〜ａ１６、ｂ１
〜ｂ６、ｂ１１〜ｂ１６、ｃ１〜ｃ６、ｃ１１〜ｃ１６、ｄ１〜ｄ６、ｄ１１〜ｄ１６）
についての条件が成立する限りにおいて、０［％］から１００［％］までの任意の割合で
あればよく、例えば、ｅ６を０．５［％］、ｅ１６を２．５［％］としてもよい。
なお、本実施形態では、特定選択テーブルにおける「設定６確定パターン」の選択率を
０［％］として「設定６確定パターン」の演出パターンを選択しないようにしたが、これ
に限定されず、設定６である場合には「設定６確定パターン」を選択してもよい。この場
合、例えば、設定６のときのみ参照される特定選択テーブル（例えば、第６特定選択テー
ブル）を別途設けて「設定６確定パターン」を選択可能（例えば、選択率をｅ１０［％］
）とする等の対策が必要となる。
【００５０】
なお、本実施形態では、通常期間に有利状態を制御開始したときには、低設定であれば
「基本パターン１」よりも「基本パターン２」の終了画面が表示され易く、高設定であれ
ば「高設定示唆パターン１」よりも「高設定示唆パターン２」の終了画面が表示され易く
しているが、特定期間に有利状態を制御開始して目押し成功回数が２回以上のときには、
低設定であれば「基本パターン２」の終了画面が特に表示され易く、高設定であれば「高
設定示唆パターン２」の終了画面が特に表示され易いのであれば、通常期間に有利状態を
制御開始したときには、低設定であれば「基本パターン２」よりも「基本パターン１」の
終了画面が表示され易く、高設定であれば「高設定示唆パターン２」よりも「高設定示唆
パターン１」の終了画面が表示され易くてもよい。すなわち、特定期間に有利状態を制御
開始して目押し成功回数が２回以上のときには信頼度が高い演出パターンの終了演出が実
行され易いのであれば、通常期間に有利状態を制御開始したときには信頼度の高い演出パ
ターンの終了演出が実行され難くてもよい。
【００５１】
［設定示唆演出について］
本実施形態では、サブ制御部９１は、上記の終了演出とは別個に設定変更操作により設
定された設定値を示唆する設定示唆演出を実行可能である。設定示唆演出は演出を実行す
るか否かを決定する演出決定抽選に当選したときに実行される。
【００５２】
演出決定抽選は抽選条件が成立したときに実行される。演出決定抽選の抽選条件とは、
例えば、スロットマシンでは、ゲームが開始されたとき、所定の役が当選あるいは入賞し
たとき、ゲームの回数が所定回数に達したとき、パチンコ遊技機では、所定の入賞が発生
したとき、当たりに当選したとき、図柄の変動回数が所定回数に達したときである。
【００５３】
演出決定抽選では、設定示唆演出を実行するか否かを決定するのみならず、設定示唆演
出を実行すると決定したときに演出態様も同時に決定する。本実施形態では、演出決定抽
選で選択可能な演出態様は演出Ａまたは演出Ｂのいずれかである。
【００５４】
また、サブ制御部９１は、特定契機にメイン制御部４１から送信された設定コマンドを
受信したときに、設定コマンドから特定される設定値を特定可能な設定値データをＲＡＭ
９１ｃに記憶（保持）させる。特定契機とは、例えば、設定変更操作により設定値が設定
（確定）されたときである。そして、サブ制御部９１は、特定契機以降にサブ制御部９１
の初期化条件が成立したときには、ＲＡＭ９１ｃの設定値データを特定データに変更し、
特定データを記憶（保持）させる。そして、サブ制御部９１は、ＲＡＭ９１ｃが設定値デ
ータを記憶しているときには、設定変更操作により設定された設定値を示唆するための設
定値示唆制御を実行する。具体的には、設定値示唆制御として、ＲＡＭ９１ｃが記憶して
いる設定値データから特定される設定値に応じた割合で設定示唆演出を実行する。換言す
ると、設定変更操作により設定された設定値に応じた割合で設定示唆演出を実行する。一
方、サブ制御部９１は、ＲＡＭ９１ｃが特定データを記憶しているときには、設定値示唆
制御を実行せず、一定の割合で設定示唆演出を実行する。
【００５５】
以下、本実施形態で実行可能な設定示唆演出について具体的に説明する。
【００５６】
［設定値データ記憶処理について］
サブ制御部９１は内部クロックのカウント値にもとづいて１．１２ｍｓの間隔でタイマ
割込処理（サブ）を実行する。そして、サブ制御部９１はタイマ割込処理（サブ）内で実
行する設定値データ記憶処理を実行する。設定値データ記憶処理はメイン制御部４１から
送信された設定コマンドから特定される設定値を特定可能な設定値データをＲＡＭ９１ｃ
に記憶させる処理である。
【００５７】
図７に示すように、設定値データ記憶処理では、サブ制御部９１は、まず、特定契機に
メイン制御部４１から送信された設定コマンドを受信したか否かを判定する。（Ｓａ１）
。
【００５８】
設定コマンドを受信したときは、設定コマンドから特定される設定値を特定可能な設定
値データをＲＡＭ９１ｃに記憶させる（Ｓａ２）。これにより、ＲＡＭ９１ｃにより設定
値データが保持される。なお、設定変更操作により設定可能な設定値は設定１〜６のいず
れかであるため、設定コマンドから特定される設定値は設定１〜６のいずれかである。よ
って、ＲＡＭ９１ｃに記憶させる設定値データから特定される設定値は設定１〜設定６の
いずれかである。
【００５９】
また、設定コマンドを受信していないときは、特定契機以降にサブ制御部９１の初期化
条件が成立したか否かを判定する（Ｓａ３）。特定契機以降にサブ制御部９１の初期化条
件が成立していないときは処理を終了する。
【００６０】
特定契機以降にサブ制御部９１の初期化条件が成立したときは、設定値データと異なる
特定データをＲＡＭ９１ｃに記憶させる（Ｓａ４）。これにより、ＲＡＭ９１ｃが保持し
ている設定値データを特定データに変更する。なお、特定データは、設定変更操作により
設定不能な設定値０（設定０）を特定可能なデータである。
【００６１】
［設定示唆演出決定処理について］
次に、サブ制御部９１がタイマ割込処理（サブ）内で実行する設定示唆演出決定処理に
ついて説明する。
【００６２】
図８に示すように、設定示唆演出決定処理では、サブ制御部９１は、まず、設定示唆演
出決定抽選の抽選条件が成立したか否かを判定する。（Ｓｂ１）。設定示唆演出決定抽選
の抽選条件が成立していないときには処理を終了する。設定示唆演出決定抽選の抽選条件
が成立したときには、ＲＡＭ９１ｃが設定値データを記憶しているか否かを判定する（Ｓ
ｂ２）。
【００６３】
ＲＡＭ９１ｃが設定値データを記憶しているときは、図９（ａ）に示す抽選テーブルＡ
を用いて演出決定抽選を実行する（Ｓｂ３）。このときは、ＲＡＭ９１ｃが記憶している
設定値データから特定される設定値に応じた割合で演出決定抽選が行われる。これにより
、ＲＡＭ９１ｃが設定値データを記憶しているときには、ＲＡＭ９１ｃが記憶している設
定値データから特定される設定値に応じた割合で設定示唆演出が実行される。
【００６４】
ＲＡＭ９１ｃが設定値データを記憶していないとき、すなわちＲＡＭ９１ｃが特定デー
タを記憶しているときは、図９（ｂ）に示す抽選テーブルＢを用いて演出決定抽選を実行
する（Ｓｂ４）。このときは、特定データから設定０であることが特定され、一定の割合
で演出決定抽選が行われる。これにより、ＲＡＭ９１ｃが特定データを記憶しているとき
には、一定の割合で設定示唆演出が実行される。
【００６５】
Ｓｂ３及びＳｂ４のいずれで演出決定抽選が行われたときでも、サブ制御部９１は、演
出決定抽選に当選したときは、設定示唆演出を実行する旨および実行する設定示唆演出の
演出態様を示す演出実行フラグをＲＡＭ９１ｃにセットする（Ｓｂ５）。なお、演出決定
抽選に当選しなかったときはＳｂ５の処理を行わずに処理を終了する。
【００６６】
［演出決定抽選の抽選テーブルについて］
次に、ＲＡＭ９１ｃが設定値データを記憶しているときに演出決定抽選（図８のＳｂ３
参照）で用いられる抽選テーブルＡについて図９（ａ）を用いて説明する。また、ＲＡＭ
９１ｃが特定データを記憶しているときに演出決定抽選（図８のＳｂ４参照）で用いられ
る抽選テーブルＢについて図９（ｂ）を用いて説明する。なお、設定示唆演出では、演出
Ａと演出Ｂとのいずれかを実行可能である。そして、図９に示すように、抽選テーブルＡ
および抽選テーブルＢでは、「演出なし」、「演出Ａ」、「演出Ｂ」のいずれかが選択さ
れるように演出決定抽選における判定値数の数が決められている。
【００６７】
図９（ａ）に示すように、抽選テーブルＡでは、ＲＡＭ９１ｃが記憶している設定値デ
ータから特定される設定値が設定１のときに「演出なし」が選択される割合が９０％、「
演出Ａ」が選択される割合が９％、「演出Ｂ」が選択される割合が１％になっている。ま
た、ＲＡＭ９１ｃが記憶している設定値データから特定される設定値が設定２のときに「
演出なし」が選択される割合が８０％、「演出Ａ」が選択される割合が１５％、「演出Ｂ
」が選択される割合が５％になっている。また、ＲＡＭ９１ｃが記憶している設定値デー
タから特定される設定値が設定３のときに「演出なし」が選択される割合が７０％、「演
出Ａ」が選択される割合が２０％、「演出Ｂ」が選択される割合が１０％になっている。
また、ＲＡＭ９１ｃが記憶している設定値データから特定される設定値が設定４のときに
「演出なし」が選択される割合が６０％、「演出Ａ」が選択される割合が２０％、「演出
Ｂ」が選択される割合が２０％になっている。また、ＲＡＭ９１ｃが記憶している設定値
データから特定される設定値が設定５のときに「演出なし」が選択される割合が５０％、
「演出Ａ」が選択される割合が１０％、「演出Ｂ」が選択される割合が４０％になってい
る。また、ＲＡＭ９１ｃが記憶している設定値データから特定される設定値が設定６のと
きに「演出なし」が選択される割合が４０％、「演出Ａ」が選択される割合が０％、「演
出Ｂ」が選択される割合が６０％になっている。また、ＲＡＭ９１ｃが記憶している特定
データから設定０が特定されるときに「演出なし」が選択される割合が０％、「演出Ａ」
が選択される割合が０％、「演出Ｂ」が選択される割合が０％になっている。
【００６８】
図９（ｂ）に示すように、抽選テーブルＢでは、ＲＡＭ９１ｃが記憶している設定値デ
ータから特定される設定値が設定１〜６のときに「演出なし」が選択される割合が０％、
「演出Ａ」が選択される割合が０％、「演出Ｂ」が選択される割合が０％になっている。
また、ＲＡＭ９１ｃが記憶している特定データから設定０が特定されるときに「演出なし
」が選択される割合が７０％、「演出Ａ」が選択される割合が０％、「演出Ｂ」が選択さ
れる割合が３０％になっている。
【００６９】
以上のように、抽選テーブルＡでは、ＲＡＭ９１ｃが記憶している設定値データから特
定される設定値に応じた割合で演出の実行確率及び演出態様の選択率が設定されている。
一方、抽選テーブルＢでは、ＲＡＭ９１ｃが記憶している特定データから設定０が特定さ
れるときに一定の割合で演出が実行されるように演出の実行確率が設定されている。ここ
で、サブ制御部９１の制御状態が初期化されたときにＲＡＭ９１ｃが記憶している設定値
データが初期化されると、メイン制御部４１が記憶している設定値（すなわち、設定変更
操作により設定された設定値）とサブ制御部９１が認識している設定値に食い違いが生じ
てしまう。よって、サブ制御部９１が初期化された後も抽選テーブルＡを用いて演出決定
抽選を行うと、メイン制御部４１側が記憶している設定値以外の設定値に応じた割合で意
図しない設定示唆演出が実行されるおそれがある。このため、本実施形態では、特定契機
以降にサブ制御部９１の初期化条件が成立したときは、サブ制御部９１は設定値データを
特定データに変更し、ＲＡＭ９１ｃが記憶している特定データから設定０が特定されると
きに抽選テーブルＢを用いて演出決定抽選を行うことにより、一定の割合で設定示唆演出
を実行するように構成されている。これにより、サブ制御部９１の制御状態が初期化され
て設定値データが初期化された状況で意図しない設定示唆演出が実行されることを防止で
きる。また、メイン制御部４１側で設定されている設定値が不明な状況では一定割合で設
定示唆演出を実行することができる。
【００７０】
また、抽選テーブルＡでは、ＲＡＭ９１ｃが記憶している設定値データから特定される
設定値が設定６のときは演出Ａが選択されないように演出態様の選択割合が設定されてい
る。よって、演出Ａが実行されると設定１〜５のいずれかであることが確定する。そして
、抽選テーブルＢでは演出Ａが選択されないように演出態様の選択割合が設定されている
。ここで、ＲＡＭ９１ｃが記憶している特定データから設定０が特定されるときにはサブ
制御部９１はメイン制御部４１側で設定されている設定値を認識できない状況であるため
、抽選テーブルＢで演出Ａが選択されるように演出態様の選択割合を設定してしまうと、
実際の設定が設定６であるにもかかわらず演出Ａが実行されてしまうおそれがある。よっ
て、抽選テーブルＢでは演出Ａが選択されないように演出態様の選択割合を設定すること
により、メイン制御部４１側で設定されている設定値が不明な状況では設定１〜５を示唆
する演出Ａ（換言すると、設定６でないことを示唆する演出Ａ）が実行されることを防止
できる。
【００７１】
［設定示唆演出決定処理（変形例１）について］
次に、図８に示す設定示唆演出決定処理の変形例１について図１０を用いて説明する。
図８に示す設定示唆演出決定処理では、ＲＡＭ９１ｃが設定値データを記憶しているとき
には、ＲＡＭ９１ｃが記憶している設定値データから特定される設定値に応じた割合で演
出決定抽選を実行し、ＲＡＭ９１ｃが特定データを記憶しているときには、一定の割合で
演出決定抽選を実行した。しかし、図１０に示す設定示唆演出決定処理では、ＲＡＭ９１
ｃが設定値データを記憶しているときには、ＲＡＭ９１ｃが記憶している設定値データか
ら特定される設定値に応じた割合で演出決定抽選を実行し、ＲＡＭ９１ｃが特定データを
記憶しているときには演出決定抽選を実行しない。これにより、サブ制御部９１は、設定
値示唆制御として、ＲＡＭ９１ｃが記憶している設定値データから特定される設定値に応
じて設定示唆演出を実行する一方、ＲＡＭ９１ｃが特定データを記憶しているときには、
設定値示唆制御を実行せず、設定示唆演出の実行を中止する。以下、具体的な処理につい
て説明する。
【００７２】
図１０に示すように、設定示唆演出決定処理では、サブ制御部９１は、まず、設定示唆
演出決定抽選の抽選条件が成立したか否かを判定する。（Ｓｃ１）。設定示唆演出決定抽
選の抽選条件が成立していないときには処理を終了する。設定示唆演出決定抽選の抽選条
件が成立したときには、ＲＡＭ９１ｃが設定値データを記憶しているか否かを判定する（
Ｓｃ２）。
【００７３】
ＲＡＭ９１ｃが設定値データを記憶しているときは、図９（ａ）に示す抽選テーブルＡ
を用いて演出決定抽選を実行する（Ｓｃ３）。このときは、ＲＡＭ９１ｃが記憶している
設定値データから特定される設定値に応じた割合で演出決定抽選が行われる。これにより
、ＲＡＭ９１ｃが設定値データを記憶しているときには、ＲＡＭ９１ｃが記憶している設
定値データから特定される設定値に応じて設定示唆演出が実行される。
【００７４】
演出決定抽選に当選したときは、設定示唆演出を実行する旨および実行する設定示唆演
出の演出態様を示す演出実行フラグをＲＡＭ９１ｃにセットする（Ｓｃ４）。なお、演出
決定抽選に当選しなかったときはＳｃ４の処理を行わずに処理を終了する。
【００７５】
ＲＡＭ９１ｃが設定値データを記憶していないとき、すなわちＲＡＭ９１ｃが特定デー
タを記憶しているときは演出決定抽選を行わずに処理を終了する。このため、ＲＡＭ９１
ｃが特定データを記憶しているときは設定示唆演出が中止される。
【００７６】
変形例１では、ＲＡＭ９１ｃが特定データを記憶しているときは設定示唆演出の実行を
中止することにより、意図しない設定示唆演出が実行されることを防止できる。また、メ
イン制御部４１側で設定されている設定値が不明な状況では設定示唆演出が実行されない
ようにすることができる。
【００７７】
［設定値データが初期化されたときの処理の具体例について］
次に、設定示唆制御の実行に関する具体例について図１１を用いて説明する。
【００７８】
図１１に示すように、設定変更操作により設定値が設定されたとき（特定契機）にメイ
ン制御部４１からサブ制御部９１に設定コマンドが送信される。本例では、設定変更操作
により設定５に設定された例を挙げている。よって、本例では、設定５に設定されたこと
を特定可能な設定コマンドがメイン制御部４１からサブ制御部９１に送信される。
【００７９】
サブ制御部９１は、設定コマンドを受信したときに設定５を特定可能な設定値データを
ＲＡＭ９１ｃに記憶（保持）させる。そして、サブ制御部９１は、ＲＡＭ９１ｃが設定値
データを記憶しているときは設定値示唆制御を実行する。具体的には、設定値示唆制御と
して、ＲＡＭ９１ｃが記憶している設定値データから特定される設定値に応じた割合で設
定示唆演出を実行する。
【００８０】
また、特定契機以降にサブ制御部９１の初期化条件（例えば、ＲＡＭ異常）が成立した
ときは、サブ制御部９１は、ＲＡＭ９１ｃが記憶している設定値データを特定データに書
き換えることにより設定値データを特定データに変更する。特定データからは設定変更操
作により設定不能な設定０が特定可能となる。
【００８１】
サブ制御部９１は、ＲＡＭ９１ｃが特定データを記憶しているときには、設定値示唆制
御を実行せず、すなわち、ＲＡＭ９１ｃが記憶している設定値データから特定される設定
値に応じた割合で設定示唆演出を実行せず、一定の割合で設定示唆演出を実行する。
【００８２】
これにより、サブ制御部９１の制御状態が初期化されたときに、メイン制御部４１側で
設定されている設定値と異なる設定値に応じた割合で設定示唆演出が実行されてしまうこ
とを防止できる。よって、設定値データが初期化された状況で、意図しない設定示唆演出
が実行されることを防止できる。
【００８３】
なお、再度設定変更が行われ、再度メイン制御部４１からサブ制御部９１に設定コマン
ドが送信されると、ＲＡＭ９１ｃの特定データは設定値データに書き換えられる。これに
より、再度、設定示唆制御が実行され、ＲＡＭ９１ｃが記憶している設定値データから特
定される設定値に応じた割合で設定示唆演出を実行される。
【００８４】
なお、ＲＡＭ９１ｃが特定データを記憶しているときには、設定値示唆制御を実行せず
に設定示唆演出を中止するようにしてもよい。この場合にも、設定値データが初期化され
た状況で、意図しない設定示唆演出が実行されることを防止できる。
【００８５】
［設定示唆演出決定処理（変形例２）について］
次に、図８とは異なる形態の変形例２における設定示唆演出決定処理について説明する
。変形例２では、設定示唆演出として第１設定示唆演出と第２設定示唆演出とを実行可能
である。そして、第１設定示唆演出が実行されたことを条件に第２設定示唆演出が実行可
能となる。具体的には、変形例２では、設定示唆演出として、設定２以上であることが確
定する設定２以上確定演出、設定４以上であることが確定する設定４以上確定演出、設定
５以上であることが確定する設定５以上確定演出、設定６であることが確定する設定６確
定演出を実行可能である。そして、例えば、第１設定示唆演出である設定４以上確定演出
が実行されたことを条件に第２設定示唆演出である設定６確定演出が実行可能になる。な
お、サブ制御部９１は、設定示唆演出決定処理において、設定２以上確定演出、設定４以
上確定演出、設定５以上確定演出、設定６確定演出のそれぞれが実行済みであるか否かは
、設定示唆演出を実行するときにＲＡＭ９１ｃにセットされる演出実行済みフラグがＲＡ
Ｍ９１ｃにセットされているか否かにもとづいて判定する。また、変形例２の遊技機では
、特典としてボーナスのみ、あるいはボーナス中に実行されるＡＲＴ（アシストリプレイ
タイム）抽選に当選したときにボーナスとＡＴ（アシストタイム）が付与される例を挙げ
る。
【００８６】
また、変形例２を上記実施形態に適用することが可能である。そして、変形例２を上記
実施形態に適用した場合でも本発明の効果を得ることができる。具体的には、変形例２に
示す設定示唆演出決定処理を図８に示す設定示唆演出決定処理または図１０に示す設定示
唆演出決定処理に組み合わせることが可能である。そして、第１設定示唆演出が実行され
たことを条件に第２設定示唆演出が実行可能とする一方で、ＲＡＭ９１ｃが特定データを
記憶しているときは、一定割合で設定示唆演出を実行する、あるいは、設定示唆演出の実
行を中止するように構成することが可能である。なお、変形例２においては、設定１であ
るにも関わらず設定２以上確定演出が実行されてしまうと、メイン制御部４１側で設定さ
れている設定値とサブ制御部９１が認識している設定値が食い違ってしまうので、設定示
唆演出を実行しないことが好ましい。
【００８７】
以下、変形例２について図１２〜図１９を用いて具体的に説明する。
【００８８】
図１２および図１３に示すように、サブ制御部９１は、第３停止操作の操作時にメイン
制御部４１から送信されるコマンドにもとづいて、ゲームが終了したか否かを判定する（
Ｓａ１）。
【００８９】
ゲームが終了していないときは処理を終了する（Ｓａ１でＮ）。ゲームが終了したとき
は（Ｓａ１でＹ）、メイン制御部４１から送信されるコマンドにもとづいてボーナスが終
了したか否かを判定する（Ｓａ２）。
【００９０】
ボーナスが終了していないとき（Ｓａ２でＮ）には処理を終了する。ボーナスが終了し
たときは（Ｓａ２でＹ）、設定２以上であることが確定する設定２以上確定演出が以前の
ボーナス終了時に実行済みであるか否かを判定する（Ｓａ３）。
【００９１】
設定２以上確定演出が実行済みでないときは（Ｓａ３でＮ）、抽選テーブルＡを用いて
設定示唆演出決定抽選を実行する（Ｓａ４）。なお、抽選テーブルＡは２種類設けられて
おり、ボーナス中にＡＲＴ抽選に当選したか否かに応じて抽選で使用する抽選テーブルを
選択する（図１４、図１６参照）。
【００９２】
設定示唆演出決定抽選を行った後は、設定示唆演出を実行することおよび実行する設定
示唆演出の種類を示す設定示唆演出実行フラグをＲＡＭ９１ｃにセットして処理を終了す
る（Ｓａ１２）。
【００９３】
設定２以上確定演出が実行済みであるときは（Ｓａ３でＹ）、設定４以上であることが
確定する設定４以上確定演出が以前のボーナス終了時に実行済みであるか否かを判定する
（Ｓａ５）。
【００９４】
設定４以上確定演出が実行済みでないときは（Ｓａ５でＮ）、抽選テーブルＢを用いて
設定示唆演出決定抽選を実行する（Ｓａ６）。なお、抽選テーブルＢは２種類設けられて
おり、ボーナス中にＡＲＴ抽選に当選したか否かに応じて抽選で使用する抽選テーブルを
選択する（図１４、図１６参照）。
【００９５】
設定示唆演出決定抽選を行った後は、設定示唆演出を実行することおよび実行する設定
示唆演出の種類を示す設定示唆演出実行フラグをＲＡＭ９１ｃにセットして処理を終了す
る（Ｓａ１２）。
【００９６】
設定４以上確定演出が実行済みであるときは（Ｓａ５でＹ）、設定５以上であることが
確定する設定５以上確定演出が以前のボーナス終了時に実行済みであるか否かを判定する
（Ｓａ７）。
【００９７】
設定５以上確定演出が実行済みでないときは（Ｓａ７でＮ）、抽選テーブルＣを用いて
設定示唆演出決定抽選を実行する（Ｓａ８）。なお、抽選テーブルＣは２種類設けられて
おり、ボーナス中にＡＲＴ抽選に当選したか否かに応じて抽選で使用する抽選テーブルを
選択する（図１４、図１６参照）。
【００９８】
設定示唆演出決定抽選を行った後は、設定示唆演出を実行することおよび実行する設定
示唆演出の種類を示す設定示唆演出実行フラグをＲＡＭ９１ｃにセットして処理を終了す
る（Ｓａ１２）。
【００９９】
設定５以上確定演出が実行済みであるときは（Ｓａ７でＹ）、設定６であることが確定
する設定６確定演出が以前のボーナス終了時に実行済みであるか否かを判定する（Ｓａ９
）。
【０１００】
設定６確定演出が実行済みでないときは（Ｓａ９でＮ）、抽選テーブルＤを用いて設定
示唆演出決定抽選を実行する（Ｓａ１０）。なお、抽選テーブルＤは２種類設けられてお
り、ボーナス中にＡＲＴ抽選に当選したか否かに応じて抽選で使用する抽選テーブルを選
択する（図１５、図１７参照）。
【０１０１】
設定示唆演出決定抽選を行った後は、設定示唆演出を実行することおよび実行する設定
示唆演出の種類を示す設定示唆演出実行フラグをＲＡＭ９１ｃにセットして処理を終了す
る（Ｓａ１２）。
【０１０２】
設定６確定演出が実行済みであるときは（Ｓａ９でＹ）、抽選テーブルＥを用いて設定
示唆演出決定抽選を実行する（Ｓａ１１）。なお、抽選テーブルＥは２種類設けられてお
り、ボーナス中にＡＲＴ抽選に当選したか否かに応じて抽選で使用する抽選テーブルを選
択する（図１５、図１７参照）。
【０１０３】
設定示唆演出決定抽選を行った後は、設定示唆演出を実行することおよび実行する設定
示唆演出の種類を示す設定示唆演出実行フラグをＲＡＭ９１ｃにセットして処理を終了す
る（Ｓａ１２）。
【０１０４】
［設定示唆演出決定抽選で用いる抽選テーブルについて］
次に、図１４〜図１７を用いて、図１２および図１３に示す設定示唆演出決定処理のお
ける設定示唆演出決定抽選で用いる抽選テーブルについて説明する。図１４および図１５
は、ボーナス中にＡＲＴ抽選に当選せずにボーナスが終了（ボーナス終了後にＡＴに制御
されないため、図中「ボーナスのみ」としている）するときに使用する抽選テーブルを示
す。図１６および図１７は、ボーナス中にＡＲＴ抽選に当選してボーナスが終了するとき
（ボーナス終了後にＡＴに制御されるため、図中では「ボーナス+ＡＴ」としている）に
使用する抽選テーブルを示す。また、図１５は、従来、設定示唆演出決定抽選で用いられ
ていた抽選テーブルの一例を示す。
【０１０５】
なお、図１４〜図１７において、抽選テーブルＢは、抽選テーブルＡを用いて設定示唆
演出決定抽選が行われて設定２以上確定演出に決定され、設定２以上確定演出が実行され
た後に用いられるテーブルである。抽選テーブルＣは、抽選テーブルＢを用いて設定示唆
演出決定抽選が行われて設定４以上確定演出に決定され、設定４以上確定演出が実行され
た後に用いられるテーブルである。抽選テーブルＤは、抽選テーブルＣを用いて設定示唆
演出決定抽選が行われて設定５以上確定演出に決定され、設定５以上確定演出が実行され
た後に用いられるテーブルである。抽選テーブルＥは、抽選テーブルＤを用いて設定示唆
演出決定抽選が行われて設定６確定演出に決定され、設定６確定演出が実行された後に用
いられるテーブルである。
【０１０６】
図１４および図１５に示すように、ボーナス中にＡＲＴ抽選に当選しなかったときは、
抽選テーブルＡでは、設定１のときにデフォルト表示が選択される割合が１００％になる
ように判定値数が割り振られている。また、設定２のときにデフォルト表示が選択される
割合が７０％、設定２以上確定演出が選択される割合が３０％になるように判定値数が割
り振られている。また、設定３のときにデフォルト表示が選択される割合が７０％、設定
２以上確定演出が選択される割合が３０％になるように判定値数が割り振られている。ま
た、設定４のときにデフォルト表示が選択される割合が７０％、設定２以上確定演出が選
択される割合が３０％になるように判定値数が割り振られている。また、設定５のときに
デフォルト表示が選択される割合が７０％、設定２以上確定演出が選択される割合が３０
％になるように判定値数が割り振られている。また、設定６のときにデフォルト表示が選
択される割合が７０％、設定２以上確定演出が選択される割合が３０％になるように判定
値数が割り振られている。
【０１０７】
また、ボーナス中にＡＲＴ抽選に当選しなかったときは、抽選テーブルＢでは、設定１
のときにデフォルト表示が選択される割合が１００％になるように判定値数が割り振られ
ている。また、設定２のときに設定２以上確定演出が選択される割合が１００％になるよ
うに判定値数が割り振られている。また、設定３のときに設定２以上確定演出が選択され
る割合が１００％になるように判定値数が割り振られている。また、設定４のときに設定
２以上確定演出が選択される割合が７０％、設定４以上確定演出が選択される割合が３０
％になるように判定値数が割り振られている。また、設定５のときに設定２以上確定演出
が選択される割合が７０％、設定４以上確定演出が選択される割合が３０％になるように
判定値数が割り振られている。また、設定６のときに設定２以上確定演出が選択される割
合が７０％、設定４以上確定演出が選択される割合が３０％になるように判定値数が割り
振られている。
【０１０８】
また、ボーナス中にＡＲＴ抽選に当選しなかったときは、抽選テーブルＣでは、設定１
のときにデフォルト表示が選択される割合が１００％になるように判定値数が割り振られ
ている。また、設定２のときにデフォルト表示が選択される割合が１００％になるように
判定値数が割り振られている。また、設定３のときにデフォルト表示が選択される割合が
１００％になるように判定値数が割り振られている。また、設定４のときに設定４以上確
定演出が選択される割合が１００％になるように判定値数が割り振られている。また、設
定５のときに設定４以上確定演出が選択される割合が７０％、設定５以上確定演出が選択
される割合が３０％になるように判定値数が割り振られている。また、設定６のときに設
定４以上確定演出が選択される割合が７０％、設定５以上確定演出が選択される割合が３
０％になるように判定値数が割り振られている。
【０１０９】
また、ボーナス中にＡＲＴ抽選に当選しなかったときは、抽選テーブルＤでは、設定１
のときにデフォルト表示が選択される割合が１００％になるように判定値数が割り振られ
ている。また、設定２のときにデフォルト表示が選択される割合が１００％になるように
判定値数が割り振られている。また、設定３のときにデフォルト表示が選択される割合が
１００％になるように判定値数が割り振られている。また、設定４のときにデフォルト表
示が選択される割合が１００％になるように判定値数が割り振られている。また、設定５
のときに設定５以上確定演出が選択される割合が１００％になるように判定値数が割り振
られている。また、設定６のときに設定５以上確定演出が選択される割合が７０％、設定
６確定演出が選択される割合が３０％になるように判定値数が割り振られている。
【０１１０】
また、ボーナス中にＡＲＴ抽選に当選しなかったときは、抽選テーブルＥでは、設定１
のときにデフォルト表示が選択される割合が１００％になるように判定値数が割り振られ
ている。また、設定２のときにデフォルト表示が選択される割合が１００％になるように
判定値数が割り振られている。また、設定３のときにデフォルト表示が選択される割合が
１００％になるように判定値数が割り振られている。また、設定４のときにデフォルト表
示が選択される割合が１００％になるように判定値数が割り振られている。また、設定５
のときにデフォルト表示が選択される割合が１００％になるように判定値数が割り振られ
ている。また、設定６のときに設定６確定演出が選択される割合が１００％になるように
判定値数が割り振られている。
【０１１１】
図１６および図１７に示すように、ボーナス中にＡＲＴ抽選に当選したときは、抽選テ
ーブルＡでは、設定１のときにデフォルト表示が選択される割合が１００％になるように
判定値数が割り振られている。また、設定２のときにデフォルト表示が選択される割合が
６０％、設定２以上確定演出が選択される割合が４０％になるように判定値数が割り振ら
れている。また、設定３のときにデフォルト表示が選択される割合が６０％、設定２以上
確定演出が選択される割合が４０％になるように判定値数が割り振られている。また、設
定４のときにデフォルト表示が選択される割合が６０％、設定２以上確定演出が選択され
る割合が４０％になるように判定値数が割り振られている。また、設定５のときにデフォ
ルト表示が選択される割合が６０％、設定２以上確定演出が選択される割合が４０％にな
るように判定値数が割り振られている。また、設定６のときにデフォルト表示が選択され
る割合が６０％、設定２以上確定演出が選択される割合が４０％になるように判定値数が
割り振られている。
【０１１２】
また、ボーナス中にＡＲＴ抽選に当選したときは、抽選テーブルＢでは、設定１のとき
にデフォルト表示が選択される割合が１００％になるように判定値数が割り振られている
。また、設定２のときに設定２以上確定演出が選択される割合が１００％になるように判
定値数が割り振られている。また、設定３のときに設定２以上確定演出が選択される割合
が１００％になるように判定値数が割り振られている。また、設定４のときに設定２以上
確定演出が選択される割合が６０％、設定４以上確定演出が選択される割合が４０％にな
るように判定値数が割り振られている。また、設定５のときに設定２以上確定演出が選択
される割合が６０％、設定４以上確定演出が選択される割合が４０％になるように判定値
数が割り振られている。また、設定６のときに設定２以上確定演出が選択される割合が６
０％、設定４以上確定演出が選択される割合が４０％になるように判定値数が割り振られ
ている。
【０１１３】
また、ボーナス中にＡＲＴ抽選に当選したときは、抽選テーブルＣでは、設定１のとき
にデフォルト表示が選択される割合が１００％になるように判定値数が割り振られている
。また、設定２のときにデフォルト表示が選択される割合が１００％になるように判定値
数が割り振られている。また、設定３のときにデフォルト表示が選択される割合が１００
％になるように判定値数が割り振られている。また、設定４のときに設定４以上確定演出
が選択される割合が１００％になるように判定値数が割り振られている。また、設定５の
ときに設定４以上確定演出が選択される割合が６０％、設定５以上確定演出が選択される
割合が４０％になるように判定値数が割り振られている。また、設定６のときに設定４以
上確定演出が選択される割合が６０％、設定５以上確定演出が選択される割合が４０％に
なるように判定値数が割り振られている。
【０１１４】
また、ボーナス中にＡＲＴ抽選に当選したときは、抽選テーブルＤでは、設定１のとき
にデフォルト表示が選択される割合が１００％になるように判定値数が割り振られている
。また、設定２のときにデフォルト表示が選択される割合が１００％になるように判定値
数が割り振られている。また、設定３のときにデフォルト表示が選択される割合が１００
％になるように判定値数が割り振られている。また、設定４のときにデフォルト表示が選
択される割合が１００％になるように判定値数が割り振られている。また、設定５のとき
に設定５以上確定演出が選択される割合が１００％になるように判定値数が割り振られて
いる。また、設定６のときに設定５以上確定演出が選択される割合が６０％、設定６確定
演出が選択される割合が４０％になるように判定値数が割り振られている。
【０１１５】
また、ボーナス中にＡＲＴ抽選に当選したときは、抽選テーブルＥでは、設定１のとき
にデフォルト表示が選択される割合が１００％になるように判定値数が割り振られている
。また、設定２のときにデフォルト表示が選択される割合が１００％になるように判定値
数が割り振られている。また、設定３のときにデフォルト表示が選択される割合が１００
％になるように判定値数が割り振られている。また、設定４のときにデフォルト表示が選
択される割合が１００％になるように判定値数が割り振られている。また、設定５のとき
にデフォルト表示が選択される割合が１００％になるように判定値数が割り振られている
。また、設定６のときに設定６確定演出が選択される割合が１００％になるように判定値
数が割り振られている。
【０１１６】
以上のように、抽選テーブルＡ〜Ｅを設定することによって、設定２以上確定演出が実
行されたことを条件に次回以降のボーナス終了時に設定４以上確定演出が実行され、設定
４以上確定演出が実行されたことを条件に次回以降のボーナス終了時に設定５以上確定演
出が実行され、設定５以上確定演出が実行されたことを条件に次回以降のボーナス終了時
に設定６確定演出が実行されるようになっている。また、設定６以上確定演出が実行され
た後は次回以降のボーナス終了時に設定６以上確定演出のみが実行されるようになってい
る。
【０１１７】
［従来の課題および変形例２の効果について］
図１５に示すように、従来は、例えば、設定１のときにデフォルト表示が選択される割
合が１００％になるように判定値数が割り振られていた。また、設定２のときにデフォル
ト表示が選択される割合が９５％、設定２以上確定演出が選択される割合が５％になるよ
うに判定値数が割り振られていた。また、設定３のときにデフォルト表示が選択される割
合が９５％、設定２以上確定演出が選択される割合が５％になるように判定値数が割り振
られていた。また、設定４のときにデフォルト表示が選択される割合が９０％、設定２以
上確定演出が選択される割合が５％、設定４以上確定演出が選択される割合が５％になる
ように判定値数が割り振られていた。また、設定５のときにデフォルト表示が選択される
割合が８０％、設定２以上確定演出が選択される割合が５％、設定４以上確定演出が選択
される割合が５％、設定５以上確定演出が選択される割合が１０％になるように判定値数
が割り振られていた。また、設定６のときにデフォルト表示が選択される割合が７０％、
設定２以上確定演出が選択される割合が５％、設定４以上確定演出が選択される割合が５
％、設定５以上確定演出が選択される割合が５％、設定６以上確定演出が選択される割合
が１０％になるように判定値数が割り振られていた。
【０１１８】
このように、従来は、例えば、ボーナスが終了するたびに図１５に示すような単一の抽
選テーブルを使用して設定示唆演出決定抽選を行っていた。そして、遊技者が利益を得に
くい設定２や設定３（いわゆる低設定）において、設定２以上確定演出の実行割合は実行
しない割合よりも極端に低くなっていた。一方で、遊技者が利益を得やすい設定４〜６（
いわゆる高設定）であることをアピールするために、高設定のときは設定６確定演出や設
定５以上確定演出、設定４以上確定演出（以下、高設定示唆演出とも称する）の実行割合
が設定２以上確定演出よりも高くなっていた。
【０１１９】
このため、パチンコ店などの遊技場が設定２に設定すると、設定２以上確定演出の実行
頻度が低く、また、仮に高設定であれば実行割合が高いはずの高設定示唆演出が実行され
ないことから遊技者は設定中の設定値が低設定であることを推測できてしまった。そして
、遊技者は低設定であることを推測したときは遊技を中止してしまうため、このことがス
ロットマシンの稼働率の低下につながっていた。一方で、設定２以上確定演出の実行割合
を単に上昇させてしまうと、設定２以上確定演出のみが頻繁に実行され、低設定であるこ
とが遊技者に推測されてしまう問題もあった。この場合にも、遊技者は低設定であること
を推測して遊技を中止してしまうため、このことがスロットマシンの稼働率の低下につな
がってしまう。そして、稼働率の低下は遊技場の利益の損失になってしまっていた。
【０１２０】
また、高設定示唆演出の実行割合が高いことに起因して、高設定示唆演出が遊技を開始
して即座に実行されてしまい、高設定であることが遊技場の営業を開始してから遊技者に
推測されてしまうことがあった。そして、遊技場は利益を確保するためには低設定のスロ
ットマシンを稼働させる必要があるため、複数のスロットマシンが設置されていても高設
定であるスロットマシンは相対的に低設定であるスロットマシンより少ないのが一般的で
ある。このような事情は遊技者にとって周知の事項となっているため、自ら遊技を行うス
ロットマシン以外のスロットマシンで高設定示唆演出が実行されると、遊技者は自らが遊
技を行っているスロットマシンは低設定である確率が高いと推測して遊技を中止していた
。このように、遊技場に高設定のスロットマシンが設置されていることを遊技者にアピー
ルできるものの、自ら遊技を行うスロットマシンが低設定であることを推測した大半の遊
技者は遊技を中止してしまい、また、高設定示唆演出の実行割合が高いことに起因して営
業を開始してから早い段階でそのことが判明してしまうため、図１５のように設定示唆演
出の実行割合を設定することがスロットマシンの稼働率の低下につながっていた。また、
実行割合が高いはずの高設定示唆演出が実行されないことが続いた場合（例えば、ボーナ
ス３〜４回で実行されなかった場合）にも、遊技者は自らが遊技を行っているスロットマ
シンは低設定であると推測して遊技を中止していった。そして、稼働率の低下は遊技場の
利益の損失になってしまっていた。
【０１２１】
一方で、遊技場側は、設定２以上確定演出の実行により低設定であることを遊技者に推
測されないようにしてスロットマシンの稼働率を上昇させることにより利益を上昇させ、
これに併せて、高設定であることを示唆する設定示唆演出の実行により高設定であること
を遊技者にアピールしてスロットマシンの稼働率を上昇させることにより利益を上昇させ
たいとの思惑があった。
【０１２２】
そこで、変形例２では、低設定あるいは高設定のいずれであっても設定２以上確定演出
を実行してから段階的に設定示唆演出を実行していく構成としたことから、設定２以上確
定演出が実行されたが高設定示唆演出が実行されていないときでも高設定であることへの
期待感を持続させることができる。これにより、低設定であるときに遊技を中止してしま
うことを防止でき、スロットマシンの稼働率を上昇させることができるものである。一方
で、高設定示唆演出の実行により高設定のスロットマシンが設置されていることも遊技者
にアピールできるため、スロットマシンの稼働率を上昇させることができるものである。
なお、このような、従来の課題は第２実施形態においても同様に解決でき、また、同様の
効果を奏するものである。
【０１２３】
また、従来は、例えば、設定６確定演出が実行されてもその次に設定６確定演出が実行
されるには設定示唆演出決定抽選で設定６確定演出を実行することに決定される必要があ
り、一度設定６確定演出が実行されたからといって再度設定６確定演出が実行されるとは
限らなかった。よって、演出のキャンセル操作をして誤って設定６確定演出を終了させて
しまったときは、例えば、設定６確定演出の演出画像を記念に撮影しようと考えていた遊
技者にとって、その次にいつ６確定演出が実行されるかが分からないため、後悔により遊
技の興趣が低下する要因となっていた。また、遊技者に設定６確定演出の演出画像を記念
に撮影してＳＮＳなどで公開してもらうことにより遊技場のアピールとなるため、遊技場
にとってもそのような事象が発生することは悩みの種となっていた。しかし、変形例２で
は、図１５や図１７の抽選テーブルＥに示すように、特定設定示唆演出である設定６確定
演出が一度実行された後は設定６確定演出のみが実行されるように構成されている。よっ
て、設定６確定演出の演出画像を記念に撮影しようと考えていた遊技者に満足感を与える
ことができ、また、遊技場にもアピールの機会を数多く与えることができる。なお、この
ような、従来の課題は第２実施形態においても同様に解決でき、また、同様の効果を奏す
るものである。
【０１２４】
［変形例２の具体例］
次に、変形例２の具体例について図１９を用いて説明する。
【０１２５】
図１９（ａ）に示すように、例えば、ボーナスの最終ゲームが終了したときに設定２以
上確定演出が発生すると、図１９（ｂ）に示すように、その次のボーナスの最終ゲームが
終了したときに設定４以上確定演出が発生可能となる。一方、設定２以上確定演出が発生
していないときは、設定４以上確定演出は発生可能とならない。そして、図１９（ｃ）に
示すように、ボーナスの最終ゲームが終了したときに設定４以上確定演出が発生すると、
その次のボーナスの最終ゲームが終了したときに設定６確定演出が発生可能となる。なお
、図中の例では、設定２以上確定演出では２体のキャラクタが表示され、設定４以上確定
演出では４体のキャラクタが表示され、設定６確定演出では６体のキャラクタが液晶表示
器５１から表示される。
【０１２６】
［設定示唆演出決定処理（変形例３）について］
第３実施形態において、サブ制御部９１がタイマ割込処理（サブ）で実行する設定示唆
演出決定処理について説明する。本処理においては、設定示唆演出が一度実行された後は
、特典であるＡＴ（ＡＲＴを含む）が付与されているときにのみ設定示唆演出が実行され
る例について説明する。変形例３では、設定示唆演出として、設定２以上であることが確
定する設定２以上確定演出、設定４以上であることが確定する設定４以上確定演出、設定
６であることが確定する設定６確定演出を実行可能である。また、設定示唆演出決定処理
において、設定２以上確定演出、設定４以上確定演出、設定６確定演出のそれぞれが実行
済みであるか否かは、設定示唆演出を実行するときにＲＡＭ９１ｃにセットされる演出実
行済みフラグがＲＡＭ９１ｃにセットされているか否かにもとづいて判定する。また、変
形例３の遊技機では、特典としてボーナスのみ、あるいはボーナス中に実行されるＡＲＴ
（アシストリプレイタイム）抽選に当選したときにボーナスとＡＴ（アシストタイム）が
付与される例を挙げる。
【０１２７】
また、変形例３を上記実施形態に適用することが可能である。そして、変形例３を上記
実施形態に適用した場合でも本発明の効果を得ることができる。具体的には、変形例３に
示す設定示唆演出決定処理を図８に示す設定示唆演出決定処理または図１０に示す設定示
唆演出決定処理に組み合わせることが可能である。そして、設定示唆演出が一度実行され
た後は、特典が付与されているときにのみ設定示唆演出が実行可能となる一方で、ＲＡＭ
９１ｃが特定データを記憶しているときは、一定割合で設定示唆演出を実行する、あるい
は、設定示唆演出の実行を中止するように構成することが可能である。なお、変形例３に
おいては、サブ制御部９１の初期化条件が成立して、メイン制御部４１が特典を付与した
か否かをサブ制御部９１が認識できないときは、設定示唆演出を実行しないことが好まし
い。これにより、特典が付与されていないにも関わらず設定示唆演出が実行されてしまう
ことを防止できる。
【０１２８】
以下、変形例３について図２０〜図２１を用いて具体的に説明する。なお、本例の遊技
機は、各々が識別可能な複数種類の識別情報を変動表示可能な３つの可変表示部を備え、
前記可変表示部を変動表示した後、前記可変表示部の変動表示を停止することで表示結果
を導出し、該表示結果に応じて入賞が発生可能である。そして、３番目に停止する可変表
示部に対する停止操作を第３停止操作（または第３停止）と称する。
【０１２９】
図２０に示すように、サブ制御部９１は、第３停止操作の操作時にメイン制御部４１か
ら送信されるコマンドにもとづいて、ゲームが終了したか否かを判定する（Ｓｃ１）。
【０１３０】
ゲームが終了していないときは処理を終了する（Ｓｃ１でＮ）。ゲームが終了したとき
は（Ｓｃ１でＹ）、メイン制御部４１から送信されるコマンドにもとづいてボーナスが終
了したか否かを判定する（Ｓｃ２）。
【０１３１】
ボーナスが終了していないとき（Ｓｃ２でＮ）は処理を終了する。ボーナスが終了した
ときは（Ｓｃ２でＹ）、設定示唆演出を実行済みであることを示す演出実行済みフラグが
ＲＡＭ９１ｃにセットされているか否かを判定する（Ｓｃ３）。
【０１３２】
演出実行済みフラグがセットされているときは（Ｓｃ３でＹ）、ボーナス中にＡＲＴ抽
選に当選したか否か（ボーナス中にＡＲＴ抽選に当選すると、ボーナス終了後にＡＴに制
御されるため、図中では「ボーナス+ＡＴ」としている）を判定する（Ｓｃ４）。ボーナ
ス中にＡＲＴ抽選に当選していないときは（Ｓａ４でＮ）処理を終了する。
【０１３３】
ボーナス中にＡＲＴ抽選に当選したときは（Ｓａ４でＹ）、設定示唆演出を実行するか
否かを決定する設定示唆演出決定抽選を実行する（Ｓａ４）。そして、設定示唆演出決定
抽選に当選したか否かを判定する（Ｓｃ６）。設定示唆演出抽選に当選していないときは
（Ｓｃ６でＮ）処理を終了する。
【０１３４】
設定示唆演出決定抽選に当選したときは（Ｓｃ６でＹ）、設定中の設定値が設定４以上
であるか否かを判定する（Ｓｃ７）。設定４以上でないときは（Ｓｃ７でＮ）、設定２以
上であることが確定する設定２以上確定演出を実行することを示す設定２以上確定演出実
行フラグをＲＡＭ９１ｃにセットする（Ｓｃ８）。
【０１３５】
設定４以上であるときは（Ｓｃ７でＹ）、設定中の設定値が設定６であるか否かを判定
する（Ｓｃ９）。設定６であるときは（Ｓｃ９でＹ）、設定６であることが確定する設定
６確定演出を実行することを示す設定６確定演出実行フラグをＲＡＭ９１ｃにセットする
（Ｓｃ１１）。設定６でないときは（Ｓｃ９でＮ）、設定４以上であることが確定する設
定４以上確定演出を実行することを示す設定４以上確定演出実行フラグをＲＡＭ９１ｃに
セットする（Ｓｃ１０）。
【０１３６】
一方、演出実行済みフラグがセットされていないときは（Ｓｃ３でＮ）、設定中の設定
値が設定２以上であるか否かを判定する（Ｓｃ１２）。設定２以上でないとき、すなわち
設定１であるときは（Ｓｃ１２でＮ）、デフォルト表示を行うことを示すデフォルト表示
フラグをＲＡＭ９１ｃにセットする（Ｓｃ１３）。そして、演出実行済みフラグをＲＡＭ
９１ｃにセットして処理を終了する（Ｓｃ１９）。
【０１３７】
設定２以上であるときは（Ｓｃ１２でＹ）、設定中の設定値が設定４以上であるか否か
を判定する（Ｓｃ１４）。設定４以上でないときは（Ｓｃ１４でＮ）、設定２以上である
ことが確定する設定２以上確定演出を実行することを示す設定２以上確定演出実行フラグ
をＲＡＭ９１ｃにセットする（Ｓｃ１５）。そして、演出実行済みフラグをＲＡＭ９１ｃ
にセットして処理を終了する（Ｓｃ１９）。
【０１３８】
設定４以上であるときは（Ｓｃ１４でＹ）、設定中の設定値が設定６であるか否かを判
定する（Ｓｃ１６）。設定６でないときは（Ｓｃ９でＮ）、設定４以上であることが確定
する設定４以上確定演出を実行することを示す設定４以上確定演出実行フラグをＲＡＭ９
１ｃにセットする（Ｓｃ１７）。そして、演出実行済みフラグをＲＡＭ９１ｃにセットし
て処理を終了する（Ｓｃ１９）。
【０１３９】
設定６であるときは（Ｓｃ１６でＹ）、設定６であることが確定する設定６確定演出を
実行することを示す設定６確定演出実行フラグをＲＡＭ９１ｃにセットする（Ｓｃ１８）
。そして、演出実行済みフラグをＲＡＭ９１ｃにセットして処理を終了する（Ｓｃ１９）
。
【０１４０】
以上の処理を行って各種フラグがセットされたときは、サブ制御部９１は、タイマ割込
処理（サブ）の設定示唆演出実行処理（Ｓｐ６）において、セットされているフラグに応
じた設定示唆演出やデフォルト表示などを液晶表示器５１によって実行する。
【０１４１】
以上のように、設定２以上確定演出、設定４以上確定演出、設定６確定演出が一度実行
されると、その後は特典であるＡＴが付与されているときにのみ設定２以上確定演出、設
定４以上確定演出、設定６確定演出が実行されるようになっている。
【０１４２】
［変形例３の具体例］
次に、変形例３の具体例について図２１を用いて説明する。
【０１４３】
図２１（ａ）に示すように、例えば、初回のボーナスの最終ゲームが終了したときに設
定６確定演出が発生すると、図２１（ｂ）（ｃ）に示すように、その次以降のボーナスの
最終ゲームでは、ボーナス後にＡＴに制御されるときは設定６確定演出が１００％の割合
で発生し、ボーナス後にＡＴに制御されず、ボーナスのみのときは設定６確定演出が発生
しない。なお、図中の例では、設定６確定演出では６体のキャラクタが液晶表示器５１か
ら表示される。
【０１４４】
従来は、特定設定示唆演出（例えば、設定６確定演出）は特典の付与と関わらず、何度
も実行されていた。よって、遊技者は何度も実行される同一の特定示唆演出に対し飽きを
感じ、遊技の興趣が低下していた。しかし、第３実施形態では、一度特定示唆演出が実行
された後は、特典が付与されているときのほうが、特典が付与されていないときよりも特
定示唆演出が実行されやすくなる。このように、特定設定示唆演出に付加価値を設けるこ
とによって、特定設定示唆演出が一度実行された後に同一の特定示唆演出が実行されても
特典付与への期待感が高くなるため、遊技の興趣を向上させることができる。
【０１４５】
以上説明したように、本実施形態に係る遊技機１によれば、サブ制御部９１は、液晶表
示器５１に何も画像が表示されていない起動期間に下パネル５０を点灯させる。
このようにすることで、電源供給が開始された後に液晶表示器に画像が表示されない起
動期間において演出を実行しない遊技機よりも遊技者が電源投入を確認できるまでの時間
が短くなっている。
特に、本実施形態に係る遊技機１によれば、下パネル５０の表示領域は、液晶表示器５
１の表示領域よりも広くなっている。
このようにすることで、遊技店の店員等は、遊技機１の電源投入を確認し易くなる。
また、本実施形態に係る遊技機１によれば、サブ制御部９１は、メイン制御部４１から
開始コマンドを受信する前に下パネル５０を点灯させている。
このようにすることで、店員等は、メイン制御部４１の状況に関わらず遊技機１の電源
投入を確認できる。
【０１４６】
また、本実施形態に係る遊技機１によれば、サブ制御部９１は、起動期間の経過後には
、液晶表示器５１に準備中画像が表示する。
このようにすることで、店員等は、液晶表示器５１が表示制御の準備を行っていること
を特定できる。
また、本実施形態に係る遊技機１によれば、サブ制御部９１は、起動期間経過後に下パ
ネル５０を消灯する。
このようにすることで、起動期間の経過後に下パネル５０が消灯してから準備用画面が
表示されるので、店員等は、遊技機１の電源投入を更に確認し易くなる。
【０１４７】
また、本実施形態に係る遊技機１によれば、メイン制御部４１は、電源供給が開始され
てから開始コマンドを送信するまで操作部７への操作の受付を有効化しない。
このようにすることで、液晶表示器５１に表示がない状況での遊技を防止できる。
なお、本実施形態において、例えば、遊技の結果を示唆する示唆演出を実行するときに
は、液晶表示器５１を用いる頻度よりも下パネル５０を用いる頻度の方が低くてもよい。
このようにすることで、起動期間における点灯が示唆演出であると誤解され難くなる。
【０１４８】
また、本実施形態に係る遊技機１によれば、メイン制御部４１は、遊技店の店員等によ
る各スイッチ３７、３８の操作等によって設定値を変更する。また、メイン制御部４１は
、遊技者による操作部７の操作によって遊技を開始し、遊技の結果に応じて有利状態に制
御可能となっており、サブ制御部９１は、有利状態の制御を開始すると目押しチャレンジ
演出や終了演出を実行する。終了演出の演出パターンには、基本パターン、高設定示唆パ
ターン、設定値確定パターンの３種類の演出パターンが含まれており、サブ制御部９１は
、例えば、高設定示唆パターンの終了演出を実行することで、設定値が高設定であること
を示唆することが可能となっている。
【０１４９】
ここで、設定値を示唆する遊技機については、例えば、現在の設定値（現在設定値）に
応じた設定示唆演出を実行するものが提案されている（例えば、特開２０１７−１３６１
９６号公報参照）。しかしながら、このような遊技機では、例えば、現在設定値が低設定
である旨の示唆が行われたり、現在設定値が高設定である旨の示唆が行われなかったりす
ることで遊技者が遊技を終了してしまう可能性がある。すなわち、現在設定値に応じた示
唆を行うことで遊技者が遊技を終了してしまう虞がある。
【０１５０】
これに対して、本実施形態では、サブ制御部９１は、有利状態の制御を開始するまでの
非有利期間の長さが通常期間である場合には、高設定でなければ高設定示唆パターンの終
了演出を実行し難くなっている一方、非有利期間の長さが特定期間である場合には、設定
値に関わらず高設定示唆パターンの終了演出を実行し易くなっている。
このようにすることで、通常期間よりも短い特定期間（高設定のときの非有利期間の平
均期間よりも短い期間）において有利状態の制御を開始した場合には通常期間において有
利状態の制御を開始した場合よりも高設定である旨を遊技者が推測し易くなっている一方
、通常期間において有利状態の制御を開始した場合には高設定でなければ高設定示唆パタ
ーンの終了演出が実行され難いため、高設定示唆パターンの終了演出が実行されれば実際
には低設定であっても高設定である旨を遊技者が推測するようになる。さらに、特定期間
において有利状態の制御を開始した場合には設定値に関わらず高設定示唆パターンの終了
演出が実行され易いため、特定期間において有利状態の制御を開始した場合であっても設
定値に関わらず高設定示唆パターンの終了演出を実行し易くしない遊技機よりも特定期間
に有利状態の制御が開始されると実際には低設定であっても高設定ではないかと遊技者が
推測して高設定で遊技が行われていることを期待し易くなり、遊技者に長く遊技を継続さ
せ易くなる。
【０１５１】
また、本実施形態に係る遊技機１によれば、サブ制御部９１は、終了演出を実行するこ
とにより、有利状態の制御を終了するときに遊技者に設定値の推測を行わせている。
このようにすることで、有利状態の制御を終了するときに高設定示唆パターンの終了演
出が実行されて高設定である旨を遊技者が推測する可能性があるので、終了演出とは異な
る演出を実行して有利状態の制御を終了するときとは異なるタイミングにおいて遊技者に
設定値の推測を行わせる遊技機よりも有利状態の制御が終了したときに遊技者が遊技を終
了し難くなる。
なお、本実施形態のように、サブ制御部９１は、高設定示唆パターンが選択される可能
性がある終了演出を実行して有利状態の制御を終了するときに遊技者に設定値の推測を行
わせることが好ましいが、終了演出に替えて他の演出を実行してもよい。例えば、有利状
態の制御中に高設定示唆パターン等の演出パターンを選択可能な制御中演出を実行しても
よい。
【０１５２】
また、本実施形態に係る遊技機１によれば、終了演出の３種類の演出パターンには、特
定の設定値であるときに限り選択される設定値確定パターンが含まれており、サブ制御部
９１は、非有利期間の長さに関わらず特定の設定値でなければ設定値確定パターンの終了
演出を実行しないようになっている。具体的には、設定６であるときに限り選択される「
設定６確定パターン」が含まれており、サブ制御部９１は、非有利期間の長さに関わらず
設定６でなければ「設定６確定パターン」の終了画面を表示しない。
このようにすることで、設定値確定パターンの終了演出が実行されれば特定の設定値（
設定６）であると遊技者が特定できるため、設定値確定パターンの終了演出を実行するこ
とによって、特定の設定値とは異なる設定値（設定１〜設定５）であると遊技者が誤認し
ないようにすることができる。この結果、例えば、設定６であるにも関わらず低設定（設
定１〜設定３）ではないかと遊技者に推測させないようにすることができる。
【０１５３】
なお、本実施形態では、特定の設定値であるときに限り選択される設定値確定パターン
として「設定６確定パターン」を設けているが、設定値確定パターンとしてはこれに限定
されず、例えば、各設定値（設定１〜設定５）の「設定１確定パターン」〜「設定５確定
パターン」や、奇数の設定値（設定１、設定３、設定５）の「奇数設定値確定パターン」
や、偶数の設定値（設定２、設定４、設定６）の「偶数設定値確定パターン」や、設定５
以上（設定５、設定６）の「設定５以上確定パターン」や、高設定（設定４〜設定６）の
「高設定確定パターン」や、低設定（設定１〜設定３）の「低設定確定パターン」があっ
てもよい。
なお、本実施形態では、特別態様の一例として、特定の設定値であるときに限り選択さ
れる設定値確定パターンを設けているが、設定値確定パターンについては設けなくてもよ
い。
【０１５４】
また、本実施形態に係る遊技機１によれば、終了演出の３種類の演出パターンには、設
定値に関連せずに選択される有利度非関連態様の一例としての基本パターンと、設定値に
関連して選択される有利度関連態様の一例としての高設定示唆パターンおよび設定値確定
パターンとが含まれており、このうち、基本パターンおよび高設定示唆パターンにはそれ
ぞれ２種類の演出パターン（基本パターンには「基本パターン１」および「基本パターン
２」、高設定示唆パターンには「高設定示唆パターン」および「高設定示唆パターン２」
）が設けられている。
このようにすることで、設定値に関連せずに選択される演出パターンや設定値に関連し
て選択される演出パターンがそれぞれ複数種類設けられていない遊技機よりも終了演出の
演出パターンが多様になり、遊技者が終了演出の演出パターンに興味を抱くようになり、
遊技の興趣が向上する。
【０１５５】
なお、本実施形態では、基本パターンおよび高設定示唆パターンにそれぞれ２種類の演
出パターンを設けているが、これに限定されず、３種類以上の演出パターンを設けてもよ
い。例えば、基本パターンについては「基本パターン３」等の演出パターンを新たに設け
てもよい。また、例えば、高設定示唆パターンについては、設定５以上（設定５、設定６
）を示唆する「設定５以上示唆パターン」や、設定６を示唆する「設定６示唆パターン」
等の演出パターンを新たに設けてもよい。
また、本実施形態では、設定値確定パターンには１種類の演出パターンのみ設けられて
いるが、これに限定されず、２種類以上の演出パターンを設けてもよい。例えば、上述し
た「設定１確定パターン」〜「設定５確定パターン」や「奇数設定値確定パターン」や「
偶数設定値確定パターン」や「設定５以上確定パターン」や「高設定確定パターン」や「
低設定確定パターン」などを追加して２種類以上の演出パターンとしてもよい。
【０１５６】
なお、本実施形態では、設定値に関連せずに選択される演出パターン（有利度非関連態
様）として、基本パターンを例示したが、これに限定されず、例えば、選択率が低い特別
パターンや特殊パターン等の他の設定値に関連しない演出パターンがあってもよい。
なお、本実施形態では、設定値に関連して選択される演出パターン（有利度関連態様）
として、高設定示唆パターンと設定値確定パターンとを例示したが、これに限定されず、
例えば、低設定を示唆するための低設定示唆パターンや、奇数の設定値を示唆するための
奇数設定値示唆パターンや、偶数の設定値を示唆するための奇数設定値示唆パターンがあ
ってもよい。また、本実施形態では、特定態様の一例として高設定示唆パターンを例示し
たが、これに限定されず、上述した演出パターン（低設定示唆パターン、奇数設定値示唆
パターン、奇数設定値示唆パターン）など、特定の設定値であることを遊技者が推測可能
であれば任意の演出パターンであってもよい。
【０１５７】
なお、本実施形態のように、終了演出の演出パターンには、設定値に関連せずに選択さ
れる演出パターン（有利度非関連態様、基本パターン）と、設定値に関連して選択される
演出パターン（有利度関連態様、高設定示唆パターン、設定値確定パターン）とが含まれ
ることが好ましいが、少なくとも設定値に関連して選択される演出パターンが含まれてい
ればよく、設定値に関連せずに選択される演出パターンは含まれていなくてもよい。よっ
て、例えば、基本パターンに替えて低設定を示唆するための低設定示唆パターンが含まれ
てもよい。
なお、本実施形態のように、基本パターンおよび高設定示唆パターンにそれぞれ２種類
の演出パターンを設けて終了演出の演出パターンを多様化することが好ましいが、基本パ
ターンおよび高設定示唆パターンについても設定値確定パターンと同様にそれぞれ１種類
の演出パターンのみであってもよい。
【０１５８】
また、本実施形態に係る遊技機１によれば、サブ制御部９１は、目押しチャレンジ演出
を実行して目押し成功回数を計数しており、目押し成功回数が２回以上のときには（所定
条件を満たしているときには）、非有利期間の長さが特定期間であっても通常期間である
場合と同様に、高設定でなければ高設定示唆パターンの終了演出を実行し難くしている。
このようにすることで、特定期間において有利状態の制御を開始した場合に所定条件を
満たしていても設定値に関わらず高設定示唆パターンの終了演出を実行し易い遊技機より
も高設定示唆パターンの終了演出が実行されるか否かによって高設定であるか否かを遊技
者が推測し易くなる。この結果、目押し成功回数が２回以上になることによって高設定で
あるか否かを遊技者が推測し易くなるので、目押しチャレンジ演出において目押しを成功
させることに遊技者が興味を抱くようになり、遊技の興趣が向上する。
【０１５９】
なお、本実施形態では、目押し成功回数が２回以上のときに高設定でなければ高設定示
唆パターンの終了演出を実行し難くなるようにしたが、目押し成功回数についてはこれに
限定されず、例えば、１回以上のときであってもよく、３回以上のときであってもよい。
なお、本実施形態では、非有利期間の長さが特定期間である場合には、目押し成功回数
が２回以上であれば、通常期間であるときよりも高設定でなければ高設定示唆パターンの
終了演出を更に実行し難くなるようにしたが、非有利期間の長さが通常期間であるときに
も目押し成功回数が２回以上であれば、特定期間であるときと同様に更に高設定でなけれ
ば高設定示唆パターンの終了演出を更に実行し難くなるようにしてもよい。例えば、目押
し成功回数が２回以上であれば、非有利期間の長さが通常期間であるときにも第１特殊選
択テーブルから第６特殊選択テーブルを参照して演出パターンを選択してもよい。
【０１６０】
なお、本実施形態では、有利状態の制御中に目押しチャレンジ演出を実行して遊技者に
目押しを行わせているが、遊技者に行わせる操作についてはこれに限定されず、例えば、
遊技者に対して、所定期間（例えば、３０秒間）に亘って操作部７を連打操作させたり、
複数種類の操作部７を特定の操作順で操作させたり、「７」が特定のライン上に揃うよう
に操作（所謂ビタ押し）させたりしてもよい。すなわち、目押しチャレンジ演出に替えて
連打チャレンジ演出、ナビ演出、押し順チャレンジ演出、ビタ押しチャレンジ演出等を実
行してもよい。また、これらの演出を複数種類実行してもよく、何れかのチャレンジに成
功して所定条件を満たせば高設定であるか否かを遊技者が推測し易くなるようにしてもよ
い。
【０１６１】
なお、本実施形態では、有利状態の制御中に目押しチャレンジ演出を実行したが、目押
しチャレンジ演出については実行しなくてもよい。すなわち、本実施形態のように、有利
状態の制御中における遊技者の操作によって高設定でなければ高設定示唆パターンの終了
演出が実行され難くすることが可能となっていることが好ましいが、有利状態の制御中に
おける遊技者の操作によって高設定でなければ高設定示唆パターンの終了演出が実行され
難くすることが可能でなくてもよい。
【０１６２】
なお、本実施形態では、目押しチャレンジ演出においてスロットマシンのリールが変動
表示する画像を表示する擬似遊技を行って遊技者に目押しをさせているが、例えば、遊技
機１がスロットマシンであれば、実際のリールを用いた擬似遊技を行って遊技者に目押し
をさせてもよく、実際のリールを用いた通常の遊技を行って遊技者に目押しをさせてもよ
い。
【０１６３】
なお、本実施形態では、有利状態関連演出の一例として終了演出を例示したが、有利状
態関連演出については有利状態に関連している限りこれに限定されず、例えば、有利状態
に制御されるか否かを煽る煽り演出であってもよく、有利状態に制御される旨を示唆する
示唆演出であってもよい。
なお、本実施形態では、有利度の一例として、遊技用価値（例えば、遊技機１がスロッ
トマシンであればメダル、遊技機１がパチンコ遊技機であれば遊技球）の払出率に関する
設定値を例示したが、これに限定されず、例えば、有利状態に制御するか否かの抽選やプ
レミア演出の配信などの抽選における当選率や、ミッション演出の達成難度の設定値など
であってもよい。なお、このように制御するために、電源投入後に遊技店の店員等がこれ
らの当選率や設定値を設定可能な設定スイッチ等を新たに設ける必要がある。
【０１６４】
なお、本実施形態では、メイン制御部４１が有利状態に制御しているが、これに限定さ
れず、サブ制御部９１が有利状態に制御してもよい。
また、本実施形態では、サブ制御部９１は、有利状態に制御されたときには、制御され
た有利状態の種類に関わらず設定値と非有利期間の長さと目押し成功回数とに応じて選択
された演出パターンで終了演出を実行したが、制御された有利状態の種類によって選択さ
れる演出パターンが変化してもよい。
【０１６５】
例えば、遊技機１がスロットマシンであれば、ＢＢに制御されたときには、本実施形態
と同様に設定値と非有利期間の長さと目押し成功回数とに基づいて演出パターンを選択す
る一方、ＲＢに制御されたときには、目押しチャレンジ演出を実行せず、非有利期間の長
さに関わらず設定値のみに基づいて演出パターンを選択してもよい。また、例えば、遊技
機１がパチンコ遊技機であれば、大当り状態に制御されたときには、本実施形態と同様に
設定値と非有利期間の長さと目押し成功回数とに基づいて演出パターンを選択する一方、
小当り状態に制御されたときには、目押しチャレンジ演出を実行せず、非有利期間の長さ
に関わらず設定値のみに基づいて演出パターンを選択してもよい。
【０１６６】
このとき、ＲＢや小当り状態に制御されたときには、高設定の示唆や設定６の確定報知
だけでなく、設定値が偶数または奇数である旨の示唆をしてもよい。この場合、例えば、
遊技機１がスロットマシンであれば、ＢＢ用の各種テーブルとして、本実施形態の第１通
常選択テーブル〜第６通常選択テーブル、特定選択テーブル、第１特殊選択テーブル〜第
６特殊選択テーブルを用いる一方、ＲＢ用の各種テーブルとしてＢＢ用の第１通常選択テ
ーブル〜第６通常選択テーブルと同様の第１通常選択テーブル〜第６通常テーブルを別途
設けて用いる必要がある。この場合、図示は省略するが、ＲＢ用の第１通常選択テーブル
〜第６通常選択テーブルについてはＢＢ用の第１通常選択テーブル〜第６通常選択テーブ
ルと同様に、低設定のときには基本パターンが高設定示唆パターンよりも選択され易い一
方、高設定のときには高設定示唆パターンが基本パターンよりも選択され易くする。
【０１６７】
一方、全ての「基本パターン１」の選択率の合計値に占める奇数の設定値（設定１、設
定３、設定５）の「基本パターン１」の選択率の合計値（ａ２１＋ａ２３＋ａ２５）の割
合が、全ての設定値についての「基本パターン２」の選択率の合計値に占める奇数の設定
値の「基本パターン２」の選択率の合計値（ｂ２１＋ｂ２３＋ｂ２５）の割合よりも大き
くなるように設定するとともに（（ａ２１＋ａ２３＋ａ２５）／（ａ２１＋ａ２２＋…＋
ａ２６）＞（ｂ２１＋ｂ２３＋ｂ２５）／（ｂ２１＋ｂ２２＋…＋ｂ２６））、全ての「
高設定示唆パターン１」の選択率の合計値に占める奇数の設定値の「高設定示唆パターン
１」の選択率の合計値（ｃ２１＋ｃ２３＋ｃ２５）の割合が、全ての設定値についての「
高設定示唆パターン２」の選択率の合計値に占める奇数の設定値の「高設定示唆パターン
２」の選択率の合計値（ｄ２１＋ｄ２３＋ｄ２５）の割合よりも大きくなるように設定す
る（（ｃ２１＋ｃ２３＋ｃ２５）／（ｃ２１＋ｃ２２＋…＋ｃ２６）＞（ｄ２１＋ｄ２３
＋ｄ２５）／（ｄ２１＋ｄ２２＋…＋ｄ２６））。
【０１６８】
また、全ての「基本パターン１」の選択率の合計値に占める偶数の設定値（設定２、設
定４、設定６）の「基本パターン１」の選択率の合計値（ａ２２＋ａ２４＋ａ２６）の割
合が、全ての設定値についての「基本パターン２」の選択率の合計値に占める偶数の設定
値の「基本パターン２」の選択率の合計値（ｂ２２＋ｂ２４＋ｂ２６）の割合よりも小さ
くなるように設定するとともに（（ａ２２＋ａ２４＋ａ２６）／（ａ２１＋ａ２２＋…＋
ａ２６）＜（ｂ２２＋ｂ２４＋ｂ２６）／（ｂ２１＋ｂ２２＋…＋ｂ２６））、全ての「
高設定示唆パターン１」の選択率の合計値に占める偶数の設定値の「高設定示唆パターン
１」の選択率の合計値（ｃ２２＋ｃ２４＋ｃ２６）の割合が、全ての設定値についての「
高設定示唆パターン２」の選択率の合計値に占める奇数の設定値の「高設定示唆パターン
２」の選択率の合計値（ｄ２２＋ｄ２４＋ｄ２６）の割合よりも小さくなるように設定す
る（（ｃ２２＋ｃ２４＋ｃ２６）／（ｃ２１＋ｃ２２＋…＋ｃ２６）＜（ｄ２２＋ｄ２４
＋ｄ２６）／（ｄ２１＋ｄ２２＋…＋ｄ２６））。
【０１６９】
このようにすることで、「基本パターン１」や「高設定示唆パターン１」のほうが「基
本パターン２」や「高設定示唆パターン２」よりも奇数の設定値のときに選択され易くな
る一方、「基本パターン２」や「高設定示唆パターン２」のほうが「基本パターン１」や
「高設定示唆パターン１」よりも奇数の設定値のときに選択され易くなる。
【０１７０】
なお、本実施形態では、非有利期間の長さとして、特定期間と通常期間とを設けたが、
これに限定されず、例えば、特別期間（例えば、１分未満、５０秒等）を設けてもよい。
この場合、サブ制御部９１は、非有利期間の長さが特別期間であれば、有利状態の制御終
了時に設定値確定パターンの終了演出が実行され易くなるようにしてもよい。なお、この
場合、本実施形態のように「設定６確定パターン」だけでなく、上述した他の設定値確定
パターン（例えば、「設定１確定パターン」〜「設定５確定パターン」、「奇数設定値確
定パターン」、「偶数設定値確定パターン」、「設定５以上確定パターン」、「高設定確
定パターン」、「低設定確定パターン」）を追加することで、設定値確定パターンの終了
演出が実行され易くなるようにしたり、設定値確定パターンの終了演出が必ず実行される
ようにしたりしてもよい。
【０１７１】
（１）したがって、本願においては、
遊技を行う遊技機（例えば、遊技機１）であって、
遊技者に対する有利度（例えば、設定値）を設定可能な有利度設定手段（例えば、メイ
ン制御部４１が設定変更状態に制御する処理）と、
遊技者にとって有利な有利状態に制御可能な有利状態制御手段（例えば、メイン制御部
４１が有利状態に制御する処理）と、
前記有利状態に関連する有利状態関連演出（例えば、有利状態の制御終了時の終了演出
）を実行可能な有利状態関連演出実行手段（例えば、サブ制御部９１が終了演出を実行す
る処理）とを備え、
前記有利状態関連演出実行手段は、
特定態様（例えば、高設定示唆パターン）を含む複数種類の態様（例えば、基本パタ
ーン、高設定示唆パターン、設定値確定パターンの３種類の演出パターン）のうちから選
択された何れかの態様の前記有利状態関連演出を実行可能であり（例えば、サブ制御部９
１が終了演出の演出パターンを選択する処理）、
前記有利状態の制御が終了した後に設けられた特定期間（例えば、特定期間）が経過
した後の期間（例えば、通常期間）において前記有利状態の制御を開始した場合には、設
定された有利度が特定有利度（例えば、高設定、設定４〜設定６）でなければ所定割合（
例えば、（ｃ１＋ｄ１）［％］〜（ｃ３＋ｄ３）［％］）で前記特定態様の前記有利状態
関連演出を実行する一方、設定された有利度が前記特定有利度であれば前記所定割合より
も高い特定割合（例えば、（ｃ４＋ｄ４）［％］〜（ｃ６＋ｄ６）［％］）で前記特定態
様の前記有利状態関連演出を実行し（例えば、サブ制御部９１は、非有利期間の長さが通
常期間である場合において、高設定でなければ高設定示唆パターンの終了演出を実行し難
くなっており）、
前記特定期間において前記有利状態の制御を開始した場合には、設定された有利度に
関わらず前記所定割合よりも高い特別割合で前記特定態様の前記有利状態関連演出を実行
する（例えば、サブ制御部９１は、非有利期間の長さが特定期間である場合において、設
定値に関わらず高設定示唆パターンの終了演出を実行し易くなっている）、遊技機につい
ても開示されている。
【０１７２】
このような構成によれば、特定期間において有利状態の制御を開始した場合には特定期
間が経過した後の期間において有利状態の制御を開始した場合よりも設定された有利度が
特定有利度である旨を遊技者が推測し易くなっている一方、特定期間が経過した後の期間
において有利状態の制御を開始した場合には設定された有利度が特定有利度であるときに
特定有利度でないときよりも特定態様の有利状態関連演出が実行され易くなるので、特定
態様の有利状態関連演出が実行されることによって設定された有利度が特定有利度である
旨を遊技者が推測することができる。また、このような構成によれば、特定期間において
有利状態の制御を開始した場合には設定された有利度に関わらず特定態様の有利状態関連
演出が実行され易くなるため、特定期間において有利状態の制御を開始した場合であって
も設定された有利度に関わらず特別割合で特定態様の有利状態関連演出を実行しない遊技
機よりも特定期間において有利状態の制御が開始されると設定された有利度が特定有利度
ではないかと遊技者が推測して特定有利度で遊技が行われていることを期待し易くなり、
遊技者に長く遊技を継続させ易くなる。
【０１７３】
（２）なお、上記（１）の遊技機において、
前記有利状態関連演出は、前記有利状態の制御を終了するときに実行される演出であっ
てもよい（例えば、サブ制御部９１は、終了演出を実行することにより、有利状態の制御
を終了するときに遊技者に設定値の推測を行わせてもよい）。
【０１７４】
このような構成によれば、有利状態の制御を終了するときに特定態様の有利状態関連演
出が実行されて設定された有利度が特定有利度である旨を遊技者が推測する可能性がある
ので、有利状態関連演出が有利状態の制御を終了するときに実行される演出でない遊技機
よりも有利状態の制御が終了したときに遊技者が遊技を終了し難くなる。
【０１７５】
（３）なお、上記（１）または（２）の遊技機において、
前記複数種類の態様には、設定された有利度に関連しない有利度非関連態様（例えば、
基本パターン）と、設定された有利度に関連する有利度関連態様（例えば、高設定示唆パ
ターン、設定値確定パターン）とが含まれ、
前記有利度非関連態様および前記有利度関連態様は、それぞれ複数種類設けられてもよ
い（例えば、基本パターンには「基本パターン１」と「基本パターン２」とが含まれ、高
設定示唆パターンには「高設定示唆パターン１」と「高設定示唆パターン２」とが含まれ
てもよい）。
【０１７６】
このような構成によれば、有利度非関連態様および有利度関連態様がそれぞれ複数種類
設けられていない遊技機よりも有利状態関連演出の態様が多様になり、遊技者が有利状態
関連演出の態様に興味を抱くようになり、遊技の興趣が向上する。
【０１７７】
（４）なお、上記（１）〜（３）の遊技機において、
前記有利状態関連演出の前記複数種類の態様には、設定された有利度が前記特定有利度
であるときにのみ選択される特別態様（例えば、設定値確定パターン）が含まれ、
前記有利状態の制御を開始した期間に関わらず設定された有利度が前記特定有利度でな
ければ前記特別態様の前記有利状態関連演出を実行しなくてもよい（例えば、サブ制御部
９１は、非有利期間の長さに関わらず特定の設定値でなければ設定値確定パターンの終了
演出を実行しないようにしてもよい）。
【０１７８】
このような構成によれば、特別態様の有利状態関連演出が実行されれば設定された有利
度が特定有利度であると遊技者が特定できるので、特別態様の有利状態関連演出を実行す
ることによって設定された有利度が特定有利度とは異なる有利度はないかと遊技者に推測
させないようにすることができる。
【０１７９】
（５）なお、上記（１）〜（４）の遊技機において、
遊技者による操作に基づく遊技状況が所定条件を満たしているか否かを判定する判定手
段（例えば、サブ制御部９１が有利状態の制御中に目押しチャレンジ演出を複数回実行し
て計数した目押し成功回数が２回以上であるか否かを判定する処理）を更に備え、
前記特定期間において前記有利状態の制御を開始した場合に前記所定条件を満たしてい
るときには、設定された有利度が前記特定有利度であるか否かに応じて前記特定態様の前
記有利状態関連演出を実行するか否かの割合が異なってもよい（例えば、サブ制御部９１
は、非有利期間の長さが特定期間であっても目押し成功回数が２回以上であれば、高設定
でなければ高設定示唆パターンの終了演出を実行し難くしてもよい）。
【０１８０】
このような構成によれば、特定期間において有利状態の制御を開始した場合に所定条件
を満たしていても設定された有利度が特定有利度であるか否かに関わらず特定態様の有利
状態関連演出を実行するか否かの割合が同一となる遊技機よりも特定態様の有利状態関連
演出が実行されることによって設定された有利度が特定有利度であるか否かを遊技者が推
測し易くなる。この結果、遊技者による操作に基づいて遊技の状況が所定条件を満たすこ
とによって設定された有利度が特定有利度であるか否かを遊技者が推測し易くなるので、
遊技者による操作によって遊技の状況が所定条件を満たしたか否かに遊技者が興味を抱く
ようになり、遊技の興趣が向上する。
【０１８１】
ここで、例えば、遊技の制御を行う遊技制御手段と演出の制御を行う演出制御手段を備
え、遊技制御手段側において遊技者に付与する価値の割合を複数段階のうちのいずれかの
段階に設定可能にすることにより、遊技制御手段側において遊技者に対する有利度を設定
可能にした遊技機が知られている（例えば、特開２００３−０１０３８１号公報参照）。
この遊技機は、設定に関する情報を１ゲーム毎に遊技制御手段から演出制御手段へ送信す
ることにより、遊技制御手段側の設定（換言すると遊技制御手段側で設定された有利度）
と演出制御手段側で認識している設定（換言すると演出制御手段側で認識している有利度
）とに食い違いが生じることを防いでいる。
【０１８２】
ところで、この遊技機のように、１ゲーム毎に遊技制御手段から演出制御手段へ情報を
送信すると、送信した情報が不正に取得される機会が増加することに繋がる。このため、
不正に情報が取得される機会を減少させるために、遊技制御手段から演出制御手段への情
報の送信機会を減少させることが望ましい。しかし、何らかの異常が発生して演出制御手
段が初期化されてしまい、演出制御手段側で保持している設定が変更されるような事態が
発生した場合、情報の送信機会を減少させると、遊技制御手段側の設定と演出制御手段側
で認識している設定とに食い違いが生じるおそれがある。このような状況において、演出
制御手段が認識している設定に基づいて設定の示唆（換言すると有利度の示唆）を行うと
、遊技制御手段側の設定と異なる設定の示唆が行われる不具合が生じるおそれがある。よ
って、遊技制御手段から演出制御手段への情報の送信機会を減少させることに伴い、演出
制御手段が行う示唆に関する制御の改良の余地があった。
【０１８３】
本実施形態に係る発明では、このような実情に鑑み、演出制御手段が初期化された状況
において、意図しない有利度の示唆が行われることを防止することができる遊技機を提供
することを目的としている。
【０１８４】
このため、本実施形態に係る遊技機１では、ＲＡＭ９１ｃで特定データが保持されてい
るときには設定示唆制御を実行せずに、ＲＡＭ９１ｃで設定値データが保持されていると
きにのみ設定示唆制御を実行する。
このようにすることで、ＲＡＭ９１ｃの設定値データが初期化された状況で意図しない
設定示唆演出が実行されることを防止できる。
【０１８５】
なお、本実施形態では、有利度の一例として、遊技用価値（例えば、遊技機１がスロッ
トマシンであればメダル、遊技機１がパチンコ遊技機であれば遊技球）の払出率に関する
設定値を例示したが、これに限定されず、例えば、有利状態に制御するか否かの抽選やプ
レミア演出の配信などの抽選における当選率や、ミッション演出の達成難度の設定値など
であってもよい。なお、このように制御するために、電源投入後に遊技店の店員等がこれ
らの当選率や設定値を設定可能な設定スイッチ等を新たに設ける必要がある。
【０１８６】
また、本実施形態では、特定契機を設定変更操作により設定値が設定されたときを例に
挙げたが、これに限定されず、遊技機１の電源投入時、所定時刻になったときなどであっ
てもよい。
【０１８７】
また、本実施形態に係る遊技機１では、設定値示唆制御としてＲＡＭ９１ｃで保持され
ている設定値データから特定される設定値に応じた割合で設定示唆演出を実行し、ＲＡＭ
９１ｃで特定データが保持されているときには一定の割合で設定示唆演出を実行する。
このようにすることで、メイン制御部４１側で設定されている設定値が不明な状況では
一定割合で設定示唆演出を実行することができる。
【０１８８】
また、本実施形態に係る遊技機１では、設定値示唆制御として設定示唆演出を実行する
ときには、設定６の場合に演出Ａが選択されないように演出態様の選択割合が設定されて
おり、一定の割合で設定示唆演出を実行するときには演出Ａが選択されないように演出態
様の選択割合が設定されている。
このようにすることで、メイン制御部４１側で設定されている設定値が不明な状況にお
いては、演出Ａが実行されないようにすることができる。
【０１８９】
また、本実施形態に係る遊技機１では、設定値示唆制御としてＲＡＭ９１ｃが記憶して
いる設定値データから特定される設定値に応じて設定示唆演出を実行し、ＲＡＭ９１ｃで
特定データが保持されているときには設定示唆演出の実行を中止する。
このようにすることで、メイン制御部４１側で設定されている設定値が不明な状況では
一定割合で設定示唆演出を実行することができる。
【０１９０】
なお、変形例２に係る遊技機１では、第１設定示唆演出である設定４以上確定演出を実
行したことを条件に第２設定示唆演出である設定６確定演出が実行可能となる（本例では
、図１２及び図１３に示すＳａ３、Ｓａ４、Ｓａ５、Ｓａ６、Ｓａ９、Ｓａ１０の処理を
行う部分、図１４〜図１７に示す部分）。
よって、設定示唆演出が段階的に実行されるので、設定示唆演出に対する期待感を持続
することが可能になり、遊技の興趣を向上させることができる。
【０１９１】
また、変形例２に係る遊技機１では、特定設定示唆演出である設定２以上確定演出、設
定４以上確定演出、設定５以上確定演出、設定６確定演出が一度実行された後は実行され
た特定設定示唆演出が実行されやすくなる（本例では、図１４〜図１７に示す部分）。
よって、特定設定示唆演出が一度実行された後は、特定設定示唆演出が実行されやすく
なるため、遊技の興趣を向上させることができる。
【０１９２】
なお、変形例３に係る遊技機１では、特定設定示唆演出である設定２以上確定演出、設
定４以上確定演出、設定６確定演出が一度実行された後は、特典であるＡＴや上乗せ特化
ゾーンが付与されているときのほうが、ＡＴや上乗せ特化ゾーンが付与されていないとき
よりも特定設定示唆演出が実行されやすくなる（本例では、図２０のＳｃ３でＹのときに
Ｓｃ８、Ｓｃ１０、Ｓｃ１１の処理を行う部分）。
よって、特定設定示唆演出が一度実行された後は、特定設定示唆演出が実行されると特
典が付与されていることに対する期待度が高くなるため、遊技の興趣を向上させることが
できる。
【０１９３】
（１）したがって、本願においては、
遊技を行う遊技機（例えば、遊技機１）であって、
遊技の制御を行う遊技制御手段（例えば、メイン制御部４１）と、
前記遊技制御手段から送信された制御情報に基づいて演出の制御を行う演出制御手段（
例えば、サブ制御部９１）とを備え、
前記遊技制御手段は、遊技者に対する有利度（例えば、設定値）を設定可能な有利度設
定手段（例えば、メイン制御部４１が設定変更状態に制御する処理）を含み、
前記制御情報は、前記有利度設定手段により設定された有利度を特定可能な有利度制御
情報（例えば、設定コマンド）を含み、
前記遊技制御手段は、前記有利度制御情報を特定契機（例えば、設定変更操作により設
定値が設定されたとき）にのみ前記演出制御手段に送信し（例えば、図１１に示す部分）
、
前記演出制御手段は、
前記遊技制御手段から送信された前記有利度制御情報から特定される有利度を特定可能
な有利度データ（例えば、設定値データ）を保持可能なデータ保持手段（例えば、ＲＡＭ
９１ｃ）と、
前記データ保持手段により有利度データが保持されているときに、前記有利度設定手段
により設定された有利度の示唆を行うための有利度示唆制御を実行(例えば、設定値デー
タから特定される設定値に応じた割合による設定示唆演出の実行)する有利度示唆制御実
行手段（例えば、図８のＳｂ５によりセットされた演出実行フラグに基づいて設定示唆演
出を実行する部分）と、
前記特定契機以降に前記演出制御手段の初期化条件が成立したときに、前記データ保持
手段が保持している有利度データを該有利データと異なる特定データに変更する保持デー
タ変更手段と（例えば、図７のＳａ４の処理を行う部分）を含み、
前記有利度示唆制御実行手段は、前記データ保持手段により特定データが保持されてい
るときに前記有利度示唆制御を実行せず、前記データ保持手段により有利度データが保持
されているときに前記有利度示唆制御を実行する（例えば、図８のＳｂ３およびＳｂ４の
処理を行う部分、図９に示す部分）遊技機についても開示されている。
なお、「前記有利度示唆制御実行手段は、前記データ保持手段により特定データが保持
されているときに前記有利度示唆制御を実行せず、前記データ保持手段により有利度デー
タが保持されているときにのみ前記有利度示唆制御を実行する」とは、「前記データ保持
手段により特定データが保持されているときに前記有利度示唆制御の実行を制限する」、
あるいは、「前記データ保持手段により特定データが保持されているときに前記有利度示
唆制御と同一制御による有利度の示唆を行わない」と換言することができる。
【０１９４】
このような構成によれば、演出制御手段が初期化された状況において、意図しない有利
度の示唆が行われることを防止することができる。
【０１９５】
（２）なお、上記（１）の遊技機において、
有利度示唆制御実行手段は、有利度示唆制御として、データ保持手段により有利度デー
タが保持されているときに、該有利度データから特定される有利度に応じた割合で有利度
設定手段により設定された有利度を示唆する演出を実行し（例えば、図８のＳｂ３の処理
を行う部分、図９（ａ）に示す部分）、
前記データ保持手段により特定データが保持されているときに前記有利度示唆制御によ
る演出を実行せず、一定の割合で前記演出を実行してもよい（例えば、図８のＳｂ４の処
理を行う部分、図９（ｂ）に示す部分）。
【０１９６】
このような構成によれば、遊技制御手段側で設定されている有利度が不明な状況におい
ては、一定の割合で有利度を示唆する演出を実行することができる。
【０１９７】
（３）なお、上記（２）の遊技機において、
有利度設定手段により設定された有利度を示唆する演出が実行されるときに該演出の演
出態様を複数種類の演出態様のうちから選択する演出態様選択手段（例えば、図８のＳｂ
３およびＳｂ４の処理を行う部分）を備え、
有利度示唆制御として前記演出が実行されるときは、データ保持手段により保持されて
いる有利度データから特定される有利度が所定有利度（例えば、設定６）である場合に所
定演出（例えば、演出Ａ）が選択されないように演出態様の選択割合を設定し（例えば、
図９（ａ）に示す部分）、
一定の割合で前記演出が実行されるときは前記所定演出が選択されないように前記演出
態様の選択割合を設定してもよい（例えば、図９（ｂ）に示す部分）。
【０１９８】
このような構成によれば、遊技制御手段側で設定されている有利度が不明な状況におい
ては、所定演出が実行されないようにすることができる。
【０１９９】
（４）なお、上記（１）の遊技機において、
有利度示唆制御実行手段は、データ保持手段により有利度データが保持されているとき
に、該有利度データから特定される有利度に応じて有利度設定手段により設定された有利
度を示唆する演出を実行することにより、有利度示唆制御を実行し（例えば、図１０のＳ
ｃ３の処理を行う部分）、
前記データ保持手段により特定データが保持されているときに前記演出の実行を中止し
てもよい（例えば、図１０のＳｃ２でＮのときに処理を終了する部分）。
【０２００】
このような構成によれば、遊技制御手段側で設定されている有利度が不明な状況におい
ては、有利度を示唆するような演出が実行されないようにすることができる。
【０２０１】
（５）なお、上記（１）〜（４）の遊技機において、
各々が識別可能な複数種類の識別情報を変動表示可能な可変表示部を備え、前記可変表
示部を変動表示した後、前記可変表示部の変動表示を停止することで表示結果を導出し、
該表示結果に応じて入賞が発生可能な遊技機（例えば、スロットマシン）において、
遊技者にとっての有利度が異なる複数種類の設定値（例えば、設定１〜６）のうちから
選択された設定値を示唆する設定示唆演出を実行する設定示唆演出実行手段（例えば、サ
ブ制御部９１）と、
遊技者に特典（例えば、ＡＴ（ＡＲＴを含む））を付与する特典付与手段（例えば、メ
イン制御部４１）とを備え、
設定値は、第１設定値（例えば、設定１，２，４）、第１設定値よりも有利な第２設定
値（例えば、設定２，４，６）を含み、
設定示唆演出には、第１設定値が選択されているときに実行されず、第２設定値が選択
されているときに実行可能となる特定設定示唆演出（例えば、設定２以上確定演出、設定
４以上確定演出、設定６確定演出）が含まれ、
特定設定示唆演出が一度実行された後は、特典が付与されているときの方が、特典が付
与されていないときよりも特定設定示唆演出が実行されやすくなる（例えば、図２０のＳ
ｃ３でＹのときにＳｃ８、Ｓｃ１０、Ｓｃ１１の処理を行う部分）。
【０２０２】
このような構成によれば、特定設定示唆演出が一度実行された後は、特定設定示唆演出
が実行されると特典が付与されていることに対する期待度が高くなるため、遊技の興趣を
向上させることができる。
【０２０３】
（６）なお、上記（１）〜（５）の遊技機において、
各々が識別可能な複数種類の識別情報を変動表示可能な可変表示部を備え、前記可変表
示部を変動表示した後、前記可変表示部の変動表示を停止することで表示結果を導出し、
該表示結果に応じて入賞が発生可能な遊技機（例えば、スロットマシン）において、
遊技者にとっての有利度が異なる複数種類の設定値（例えば、設定１〜６）のうちから
選択された設定値を示唆する設定示唆演出を実行する設定示唆演出実行手段（例えば、サ
ブ制御部９１）を備え、
設定値は、第１設定値（例えば、設定２）、第１設定値よりも有利な第２設定値（例え
ば、設定４）、第２設定値よりも有利な第３設定値（例えば、設定６）を含み、
前記設定示唆演出実行手段は、第２設定値または第３設定値が選択されているときに第
１設定示唆演出（例えば、設定４以上確定演出）を実行可能であり、第３設定値が選択さ
れているときに第２設定示唆演出（例えば、設定６確定演出）を実行可能であり、
第１設定示唆演出が実行されたことを条件に第２設定示唆演出が実行可能となる（例え
ば、図１４〜図１７に示す部分）。
【０２０４】
このような構成によれば、設定示唆演出が段階的に実行されるので、設定示唆演出に対
する期待感を持続することが可能になり、遊技の興趣を向上させることができる。
【０２０５】
（７）なお、上記（１）〜（６）の遊技機において、
各々が識別可能な複数種類の識別情報を変動表示可能な可変表示部を備え、前記可変表
示部を変動表示した後、前記可変表示部の変動表示を停止することで表示結果を導出し、
該表示結果に応じて入賞が発生可能な遊技機（例えば、スロットマシン）において、
遊技者にとっての有利度が異なる複数種類の設定値（例えば、設定１〜６）のうちから
選択された設定値を示唆する設定示唆演出を実行する設定示唆演出実行手段（例えば、サ
ブ制御部９１）を備え、
設定値は、第１設定値（例えば、設定１〜５）、第１設定値よりも有利な第２設定値（
例えば、設定２〜６）を含み、
設定示唆演出には、第１設定値が選択されているときに実行されず、第２設定値が選択
されているときに実行可能となる特定設定示唆演出（例えば、設定２以上確定演出、設定
４以上確定演出、設定５以上確定演出、設定６確定演出）が含まれ、
特定設定示唆演出が一度実行された後は特定設定示唆演出が実行されやすくなる（例え
ば、図１４〜図１７に示す部分）。
【０２０６】
このような構成によれば、特定設定示唆演出が一度実行された後は、特定設定示唆演出
が実行されやすくなるため、遊技の興趣を向上させることができる。
【符号の説明】
【０２０７】
１  遊技機、７  操作部、３７  設定キースイッチ、３８  リセット／設定スイッチ、
３９  電源スイッチ、４１  メイン制御部、５０  下パネル、５１  液晶表示器、５６  
演出用スイッチ、９１  サブ制御部、９１ａ  サブＣＰＵ、９１ｂ  ＲＯＭ、９１ｃ  Ｒ
ＡＭ、１０１  電源基板
【図１】
2019122584.tif 000003
【図２】
2019122584.tif 000004
【図３】
2019122584.tif 000005
【図４】
2019122584.tif 000006
【図５】
2019122584.tif 000007
【図６】
2019122584.tif 000008
【図７】
2019122584.tif 000009
【図８】
2019122584.tif 000010
【図９】
2019122584.tif 000011
【図１０】
2019122584.tif 000012
【図１１】
2019122584.tif 000013
【図１２】
2019122584.tif 000014
【図１３】
2019122584.tif 000015
【図１４】
2019122584.tif 000016
【図１５】
2019122584.tif 000017
【図１６】
2019122584.tif 000018
【図１７】
2019122584.tif 000019
【図１８】
2019122584.tif 000020
【図１９】
2019122584.tif 000021
【図２０】
2019122584.tif 000022
【図２１】
2019122584.tif 000023